(57)【要約】車載用記録再生装置（１２１）は、ユーザが視聴を開始した番組を記録装置に記録すると共に、停止時などの視聴可能なときにデータを読み出し再生する。車載用記録再生装置（１２１）は、番組、時間等の記録に関する記録情報を家庭用記録再生装置（３０３）に送信する。家庭用記録再生装置（３０３）は、記録情報を元に車載用記録再生装置（１２１）と同様の番組を記録する。車載用記録再生装置（１２１）は、車載用記録再生装置（１２１）においてどのシーンまで再生したかを表す再生情報を家庭用記録再生装置（３０３）に送信する。家庭用記録再生装置（３０３）は、再生情報に基づいて再生を行う。これにより、車内で視聴していた番組の続きを家で、シーンが途切れることなく視聴することができる。
2004084222.tif 000002
【特許請求の範囲】
【請求項１】
同一の信号が入力される相互に通信が可能な車載用記録再生装置および記録再生装置を備える記録再生システムであって、
前記車載用記録再生装置は、車に設置されており、
前記記録再生装置は、前記車の外部に設置されており、
前記車載用記録再生装置は、
データの記録および記録した前記データの読み出しが可能な第１の記録装置と、
前記第１の記録装置に記録された前記データを読み出して再生する再生手段と、
自機器内で前記データの記録を開始する際、前記記録再生装置に対して、自機器内で記録を開始した前記データに関する記録情報を送信する記録情報送信手段と、
再生を停止した時点を示す再生情報を前記記録再生装置に送信する再生情報送信手段とを含み、
前記記録再生装置は、
前記車載用記録再生装置から送信されてくる前記記録情報に基づいて、前記車載用記録再生装置で記録されるデータと同一のデータを記録する第２の記録装置と、
前記車載用記録再生装置からの前記再生情報に基づいて、前記車載用記録再生装置で再生停止された位置から再生を開始する再生開始手段とを含む、記録再生システム。
【請求項２】
前記車載用記録再生装置は、さらに、前記記録再生装置での記録開始位置を認識し、前記車載用記録再生装置で未再生かつ前記記録再生装置で記録されていないデータを、前記記録再生装置に送信する未記録データ送信手段を含む、請求項１に記載の記録再生システム。
【請求項３】
前記車載用記録再生装置は、さらに、前記記録情報を送信した後、記録開始時から所定期間内に記録されているデータを、前記記録再生装置に送信するデータ送信手段を含み、
前記記録再生装置は、さらに、前記データ送信手段によって送信されてくる前記データを、自機器内で記録済みのデータと連続的につながるように記録するデータ受信記録手段を含む、請求項１に記載の記録再生システム。
【請求項４】
車内に設置されており、入力信号に基づくデータを記録および再生する車載用記録再生装置であって、
前記データの記録および記録した前記データの読み出しが可能な記録装置と、
前記記録装置に記録された前記データを読み出して再生する再生手段と、
自機器内で前記データの記録を開始する際、外部の記録再生装置に対して、自機器内で記録を開始した前記データに関する記録情報を送信する記録情報送信手段と、
再生を停止した位置を示す再生情報を前記記録再生装置に送信する再生情報送信手段とを含む、車載用記録再生装置。
【請求項５】
前記再生情報送信手段は、車両の電源がオフになる前に、前記再生情報を送信することを特徴とする、請求項４に記載の車載用記録再生装置。
【請求項６】
前記再生情報送信手段は、再生が停止する毎に、前記再生情報を送信することを特徴とする、請求項４に記載の車載用記録再生装置。
【請求項７】
さらに、前記記録再生装置での記録開始位置を認識し、前記車載用記録再生装置で未再生かつ前記記録再生装置で記録されていないデータを、前記記録再生装置に送信する未記録データ送信手段を含む、請求項４に記載の車載用記録再生装置。
【請求項８】
さらに、前記記録情報送信手段、前記再生情報送信手段および前記未記録データ送信手段の少なくとも１つを動作させるための専用ボタンを含む、請求項４に記載の車載用記録再生装置。
【請求項９】
前記車載用記録再生装置を操作するための操作画面には、前記記録情報送信手段、前記再生情報送信手段および前記未記録データ送信手段の少なくとも１つを動作させるための専用メニューが表示されることを特徴とする、請求項４に記載の車載用記録再生装置。
【請求項１０】
車内に設置された車載用記録再生装置と通信可能であり、入力信号に基づくデータを記録および再生する記録再生装置であって、
前記車載用記録再生装置から送信された前記データに関する記録情報を受信し、前記記録情報に基づいて前記データを記録する記録手段と、
前記車載用記録再生装置から送信された再生を停止した位置を示す再生情報を受信し、前記再生情報に基づいて前記データの再生を開始する再生開始手段とを含む、記録再生装置。
【請求項１１】
前記再生開始手段は、前記再生情報に含まれた再生位置より所定期間だけ前の位置から再生を開始することを特徴とする、請求項１０に記載の記録再生装置。
【請求項１２】
さらに、前記再生開始手段を動作させるための専用ボタンを含む、請求項１０に記載の記録再生装置。
【請求項１３】
前記記録再生装置を操作するための操作画面には、前記再生開始手段を動作させるための専用メニューが表示されることを特徴とする、請求項１０に記載の記録再生装置。
【請求項１４】
さらに、受信した前記再生情報に示される位置より前のデータを削除する削除手段を含む、請求項１０に記載の記録再生装置。
【請求項１５】
さらに、自機器の記録開始位置より前のデータを前記車載用記録再生装置から受信し、自機器が記録済みのデータと連続的につながるように記録するデータ受信記録手段を含む、請求項１０に記載の記録再生装置。
【請求項１６】
同一の信号が入力される相互に通信が可能な車載用記録再生装置および記録再生装置を備えるシステムおいて、前記車載用記録再生装置で再生されていたデータの続きを前記記録再生装置で再生するための方法であって、
前記車載用記録再生装置が前記データの記録を開始する際、前記車載用記録再生装置が、前記記録再生装置に対して、同一のデータを記録させるための記録情報を送信するステップと、
前記車載用記録再生装置からの記録情報に応じて、前記車載用記録再生装置で記録されるデータと同一のデータの記録を前記記録再生装置が開始するステップと、
前記車載用記録再生装置が、前記記録再生装置に対して、前記車載用記録再生装置が再生を停止した位置を示す再生情報を送信するステップと、
前記車載用記録再生装置からの再生情報に応じて、前記記録再生装置が再生を行うステップとを含む、記録再生方法。
【発明の詳細な説明】
【技術分野】  本発明は、信号の記録再生装置に関し、より特定的には、車室内や車と家との間でとぎれのない再生を実現するための記録再生装置、記録再生システム、および記録再生方法に関する。
【背景技術】  安全運転を図るため、既存の車載テレビシステムにおいて、ユーザは、運転中に映像を見ることができない。したがって、車内でテレビ番組を見たい場合、ユーザは、車を停止させなければならなかった。
特許第３２５４９４６号（第２−４頁、第１図）には、運転中に見ることができなかったテレビ番組を車内で見ることができる車載情報処理装置が提案されている。当該車載情報処理装置は、ハードディスクを搭載しており、走行中には、所望のテレビ番組を録画する。当該車載情報処理装置は、車両の停止時に、録画を継続するか否かを判断する。録画を継続せずに再生すべきと判断した場合、当該車載情報処理装置は、運転中に録画したテレビ番組を再生する。これにより、ユーザは、運転中に見ることができなかったテレビ番組を見ることが可能となる。
特許第３２４９８４５号（第２−４頁、第１図）には、記録と再生とを同時に行うことができる記録再生装置が提案されている。このように記録と再生とを同時に行う機能は、「追いかけ再生」機能と呼ばれており、ハードディスクレコーダやＤＶＤ−ＲＡＭレコーダ等で実現されている。
【発明の開示】
しかし、特許第３２５４９４６号（第２−４頁、第１図）に記載の車載情報処理装置は、運転中に録画した映像を、停止中に再生することができる、すなわちタイムシフト再生を実現しているものの、番組全てを視聴しようとしたときには、たとえ目的地に到着したとしても車内で視聴しなければならなかった。
また、ユーザは、家庭内のビデオレコーダやＤＶＤレコーダ等で予約録画しておき、外出中に、特許第３２５４９４６号（第２−４頁、第１図）に記載の車載情報処理装置を用いて車内で途中まで見た番組の続きを帰宅後家で視聴する場合、家庭用のビデオレコーダ等に録画されている番組の内既に見たシーンを早送りする必要があった。
また、ユーザは、何気なく車内で見ていた番組を家で最後まで見たくなった場合、タイマー録画予約をしていないのであれば、車を降りてテレビの前に辿り着いてから初めて続きを見ることができる。この場合、ユーザは、車からテレビの前に移動するまでの間に放送されたシーンを見逃してしまうこととなる。
同様に、家で見ていたテレビ番組を車内で見たい場合、家から車に移動するまでの間に放送されたシーンを見逃してしまうこととなる。
これらの問題点を解決するための方法は、特許第３２５４９４６号（第２−４頁、第１図）および特許第３２４９８４５号（第２−４頁、第１図）には記載されていない。
それゆえ、本発明の目的は、車内で見ていた番組の続きをシーンが途切れることなく家で見ることができる記録再生装置、記録再生方法、および記録再生システムを提供することである。
さらに、本発明の他の目的は、家で見ていた番組の続きをシーンが途切れることなく車内で見ることができる記録再生装置、記録再生方法、および記録再生システムを提供することである。
上記課題を解決するために、本発明は、以下の特徴を有する。
本発明の第１の局面は、同一の信号が入力される相互に通信が可能な車載用記録再生装置および記録再生装置を備える記録再生システムであって、車載用記録再生装置は、車に設置されており、記録再生装置は、車の外部に設置されており、車載用記録再生装置は、データの記録および記録したデータの読み出しが可能な第１の記録装置と、第１の記録装置に記録されたデータを読み出して再生する再生手段と、自機器内でデータの記録を開始する際、記録再生装置に対して、自機器内で記録を開始したデータに関する記録情報を送信する記録情報送信手段と、再生を停止した時点を示す再生情報を記録再生装置に送信する再生情報送信手段とを含み、記録再生装置は、車載用記録再生装置から送信されてくる記録情報に基づいて、車載用記録再生装置で記録されるデータと同一のデータを記録する第２の記録装置と、車載用記録再生装置からの再生情報に基づいて、車載用記録再生装置で再生停止された位置から再生を開始する再生開始手段とを含む。
これにより、記録再生装置と車載用記録再生装置とで同一のデータが記録される。加えて、車載用記録再生装置での再生が停止した場合、停止したときの情報を示す再生情報が記録再生装置に送られ、停止した位置から、記録装置が記録しているデータを再生することができる。したがって、たとえば、記録再生装置を家庭に設置していた場合、車内で視聴したデータの続きを家庭で視聴することができる。
好ましくは、車載用記録再生装置は、さらに、記録再生装置での記録開始位置を認識し、車載用記録再生装置で未再生かつ記録再生装置で記録されていないデータを、記録再生装置に送信する未記録データ送信手段を含むとよい。
これにより、通信の時間差が原因で、記録再生装置が記録しなかったデータであっても、記録再生装置に格納させることができる。
好ましくは、車載用記録再生装置は、さらに、記録情報を送信した後、記録開始時から所定期間内に記録されているデータを、記録再生装置に送信するデータ送信手段を含み、記録再生装置は、さらに、データ送信手段によって送信されてくるデータを、自機器内で記録済みのデータと連続的につながるように記録するデータ受信記録手段を含むとよい。
これにより、通信の時間差によって一部のデータが格納されないといった事態を防止できる。
本発明の第２の局面は、車内に設置されており、入力信号に基づくデータを記録および再生する車載用記録再生装置であって、データの記録および記録したデータの読み出しが可能な記録装置と、記録装置に記録されたデータを読み出して再生する再生手段と、自機器内でデータの記録を開始する際、外部の記録再生装置に対して、自機器内で記録を開始したデータに関する記録情報を送信する記録情報送信手段と、再生を停止した位置を示す再生情報を記録再生装置に送信する再生情報送信手段とを含む。
これにより、外部の記録再生装置に対して、車載用記録再生装置で記録したデータと同一のデータを記録させることができ、車載用記録再生装置で視聴したデータの続きを外部の記録再生装置で視聴することができる。
好ましくは、再生情報送信手段は、車両の電源がオフになる前に、再生情報を送信するとよい。
これにより、外部の記録再生装置に対して、車内での最終的な再生情報を確実に送信することができる。
好ましくは、再生情報送信手段は、再生が停止する毎に、再生情報を送信するとよい。
これにより、最新の再生情報を外部の記録再生装置に送信することができる。
好ましくは、さらに、記録再生装置での記録開始位置を認識し、車載用記録再生装置で未再生かつ記録再生装置で記録されていないデータを、記録再生装置に送信する未記録データ送信手段を含むとよい。
これにより、通信の時間差が原因で外部の記録再生装置が記録しなかったデータであっても、外部の記録再生装置に格納させることができる。
好ましくは、さらに、記録情報送信手段、再生情報送信手段および未記録データ送信手段の少なくとも１つを動作させるための専用ボタンを含むとよい。
これにより、ユーザはより簡単に記録情報の送信、再生情報の送信、外部の記録再生装置が未記録のデータの送信を行うことができる。
好ましくは、車載用記録再生装置を操作するための操作画面には、記録情報送信手段、再生情報送信手段および未記録データ送信手段の少なくとも１つを動作させるための専用メニューが表示されるとよい。
これにより、ユーザはより簡単に記録情報の送信、再生情報の送信、外部の記録再生装置が未記録のデータの送信を行うことができる。
本発明の第３の局面は、車内に設置された車載用記録再生装置と通信可能であり、入力信号に基づくデータを記録および再生する記録再生装置であって、車載用記録再生装置から送信されたデータに関する記録情報を受信し、記録情報に基づいてデータを記録する記録手段と、車載用記録再生装置から送信された再生を停止した位置を示す再生情報を受信し、再生情報に基づいてデータの再生を開始する再生開始手段とを含む。
これにより、ユーザは、車載用記録再生装置で視聴していたデータの続きを記録再生装置を用いて視聴することが可能となる。
好ましくは、再生開始手段は、再生情報に含まれた再生位置より所定期間だけ前の位置から再生を開始するとよい。
これにより、ユーザは、車載記録装置で視聴していたデータの続きを視聴するにあたり、それまでどのような内容であったのかを確認することができる。
好ましくは、さらに、再生開始手段を動作させるための専用ボタンを含むとよい。
これにより、ユーザは簡単に車載用記録再生装置で視聴していたデータの続きを記録再生装置を用いて視聴することが可能となる。
好ましくは、記録再生装置を操作するための操作画面には、再生開始手段を動作させるための専用メニューが表示されるとよい。
これにより、ユーザは簡単に車載用記録再生装置で視聴していたデータの続きを記録再生装置を用いて視聴することが可能となる。
好ましくは、さらに、受信した再生情報に示される位置より前のデータを削除する削除手段を含むとよい。
これにより、既に車載用記録再生装置で視聴されたデータを削除することとなるので、記録領域の有効活用を図ることができる。
好ましくは、さらに、自機器の記録開始位置より前のデータを車載用記録再生装置から受信し、自機器が記録済みのデータと連続的につながるように記録するデータ受信記録手段を含むとよい。
これにより、通信の時間差によって一部のデータが格納されないといった事態を防止できる。
本発明の第４の局面は、同一の信号が入力される相互に通信が可能な車載用記録再生装置および記録再生装置を備えるシステムおいて、車載用記録再生装置で再生されていたデータの続きを記録再生装置で再生するための方法であって、車載用記録再生装置がデータの記録を開始する際、車載用記録再生装置が、記録再生装置に対して、同一のデータを記録させるための記録情報を送信するステップと、車載用記録再生装置からの記録情報に応じて、車載用記録再生装置で記録されるデータと同一のデータの記録を記録再生装置が開始するステップと、車載用記録再生装置が、記録再生装置に対して、車載用記録再生装置が再生を停止した位置を示す再生情報を送信するステップと、車載用記録再生装置からの再生情報に応じて、記録再生装置が再生を行うステップとを含む。
本発明の第５の局面は、同一の信号が入力される相互に通信が可能な記録再生装置および車載用記録再生装置を備えるシステムであって、記録再生装置は、再生を停止した場合、車載用記録再生装置に対する記録開始命令を周期的に送信する記録開始命令送信手段と、再生を停止した時点から、再生を停止したデータの記録を開始する再生停止データ記録手段とを含み、車載用記録再生装置は、記録開始命令を受信したら、指示されているデータの記録を開始すると共に、受信した旨および当該データの記録を開始した時点についてのＡＣＫ記録情報を記録再生装置に返信するＡＣＫ記録情報返信手段を含み、記録再生装置は、さらに、車載用記録再生装置からのＡＣＫ記録情報を受信した場合、当該ＡＣＫ記録情報で指定されているデータの記録を開始した時点までのデータを車載用記録再生装置に送信する未記録データ送信手段を含み、車載用記録再生装置は、さらに、記録再生装置が記録を開始した時点からデータを再生する再生開始手段を含む。
これにより、記録再生装置で再生が停止した時点以降のデータが車載用記録再生装置で記録されることとなるので、ユーザは、記録再生装置で視聴していたデータの続きを車載用記録再生装置で視聴することができる。
好ましくは、車載用記録再生装置は、さらに、記録再生装置が記録を開始した時点から車載用記録再生装置が記録を開始した時点までのデータの送信要求を記録再生装置に対して送信するデータ送信要求手段を含むとよい。
これにより、記録再生装置で再生が停止された位置から車載用記録再生装置で再生が開始されるまでのデータが転送されることとなるので、ユーザは、記録再生装置で視聴していたデータの続きを途切れることなく車内で視聴することができる。
本発明の第６の局面は、車内に設置された車載用記録再生装置と通信可能であり、入力信号に基づくデータを記録および再生する記録再生装置であって、再生を停止した場合、車載用記録再生装置に対する記録開始命令を周期的に送信する記録開始命令送信手段と、再生を停止した時点から、再生を停止したデータの記録を開始する再生停止データ記録手段と、車載用記録再生装置から、記録開始命令を受信した旨および車載用記録再生装置が当該データの記録を開始した時点についてのＡＣＫ記録情報を受信するＡＣＫ記録情報受信手段と、ＡＣＫ記録情報で指定されているデータの記録を開始した時点までのデータを車載用記録再生装置に送信する未記録データ送信手段とを含む。
これにより、記録再生装置で再生していたデータの続きを車載用記録再生装置で視聴することが可能となる。
好ましくは、さらに、記録開始命令送信手段、再生停止データ記録手段および未記録データ送信手段の少なくとも１つを動作させるための専用ボタンを含むとよい。
これにより、ユーザはより簡単に、記録開始命令の送信、再生停止後のデータ記録、外部機器が未記録のデータ送信を行うことができる。
好ましくは、記録開始命令送信手段、再生停止データ記録手段および未記録データ送信手段の少なくとも１つは、記録再生装置が再生を停止したことにより自動的に動作するとよい。
これにより、ユーザはより簡単に、記録開始命令の送信、再生停止後のデータ記録、外部機器が未記録のデータ送信を行うことができる。
本発明の第７の局面は、車内に設置されており、入力信号に基づくデータを記録および再生する車載用記録再生装置であって、外部の記録再生装置から記録開始命令を受信したら、指示されているデータの記録を開始すると共に、受信した旨および当該データの記録を開始した時点についてのＡＣＫ記録情報を記録再生装置に送信するＡＣＫ記録情報返信手段と、記録再生装置から送信された、記録再生装置が記録を開始した時点から車載用記録再生装置が記録を開始した時点までのデータを、受信し記録するデータ受信記録手段と、データ受信記録手段が受信して記録したデータを先頭から再生する再生開始手段とを含む。
これにより、ユーザは、外部の記録再生装置で視聴していたデータの続きを車内で視聴することができる。
好ましくは、さらに、データ受信記録手段が受信するデータの送信要求を記録再生装置に対して送信するデータ送信要求手段を含むとよい。
これにより、ユーザは、外部機器で視聴していたデータの続きを車内で視聴することができる。
好ましくは、さらに、再生開始手段を動作させるための専用ボタンを含むとよい。
これにより、ユーザは簡単に外部機器で視聴していたデータの続きを車内で視聴することが可能となる。
好ましくは、車載用記録再生装置を操作するための操作画面には、再生開始手段を動作させるための専用メニューが表示されるとよい。
これにより、ユーザは簡単に外部機器で視聴していたデータの続きを車内で視聴することができる。
本発明の第８の局面は、同一の信号が入力される相互に通信が可能な車載用記録再生装置および記録再生装置を備える記録再生システムであって、車載用記録再生装置は、車に設置されており、記録再生装置は、車の外部に設置されており、車載用記録再生装置は、データの記録および記録したデータの読み出しが可能な第１の記録装置と、第１の記録装置に記録されたデータをそれぞれ独立に読み出して再生する第１および第２の再生手段と、自機器内でデータの記録を開始する際、記録再生装置に対して、自機器内で記録を開始したデータに関する記録情報を送信する記録情報送信手段と、第１および第２の再生手段で再生を停止した時点を示す第１および第２の再生情報を記録再生装置に送信する再生情報送信手段とを含み、記録再生装置は、車載用記録再生装置から送信されてくる記録情報に基づいて、車載用記録再生装置で記録されているデータと同一のデータを記録する第２の記録装置と、車載用記録再生装置からの第１または第２の再生情報に基づいて、車載用記録再生装置の第１または第２の再生手段で再生が停止された位置から再生を開始する再生開始手段とを含む。
これにより、第１および第２の再生手段のいずれで視聴していた続きも、記録再生装置で視聴することができる。したがって、車内で異なるディスプレイで番組を視聴していた場合にも、それぞれの続きを外部の記録再生装置で視聴することができる。
好ましくは、第１の記録装置は、第１および第２の再生手段で再生するためのある一つの番組を記録し、第１および第２の再生手段では、第１の記録装置に記録される番組をそれぞれ独立して再生し、記録情報送信手段は、第１の記録装置で記録される番組に関する情報を記録情報として送信し、第２の記録装置は、車載用記録再生装置から送信されてくる記録情報に基づいて、番組を記録し、再生開始手段は、車載用記録再生装置からの第１または第２の再生情報に基づいて、車載用記録再生装置の第１または第２の再生手段で再生が停止された位置から番組の再生を開始するとよい。
これにより、同一番組を第１および第２の再生手段で再生していた場合、第１および第２の再生手段のいずれで視聴していた続きも、記録再生装置で視聴することができる。
好ましくは、第１の記録装置は、第１および第２の再生手段で再生するための相異なる二つの番組を記録し、第１および第２の再生手段は、第１の記録装置に記録される二つの番組をそれぞれ独立して再生し、記録情報送信手段は、第１の記録装置で記録される二つの番組に関する情報を記録情報として送信し、第２の記録装置は、車載用記録再生装置から送信されてくる記録情報に基づいて、二つの番組を記録し、再生開始手段は、車載用記録再生装置からの第１または第２の再生情報に基づいて、車載用記録再生装置の第１または第２の再生手段で再生が停止された位置から、第１または第２の再生手段で再生されていた番組の再生を開始するとよい。
これにより、相異なる番組を第１および第２の再生手段で再生していた場合、第１および第２の再生手段のいずれで視聴していた続きも、記録再生装置で視聴することができる。
本発明の第９の局面は、車内に設置されており、入力信号に基づくデータを記録および再生する車載用記録再生装置であって、データの記録および記録したデータの読み出しが可能な第１の記録装置と、第１の記録装置に記録されたデータをそれぞれ独立に読み出して再生する第１および第２の再生手段と、自機器内でデータの記録を開始する際、外部の記録再生装置に対して、自機器内で記録を開始したデータに関する記録情報を送信する記録情報送信手段と、第１および第２の再生手段で再生を停止した時点を示す第１および第２の再生情報を記録再生装置に送信する再生情報送信手段とを含む。
これにより、第１および第２の再生手段のいずれで視聴していた続きも、記録再生装置で視聴することができる。
好ましくは、第１の記録装置は、第１および第２の再生手段で再生するためのある一つの番組を記録し、第１および第２の再生手段では、第１の記録装置に記録される番組をそれぞれ独立して再生し、記録情報送信手段は、第１の記録装置で記録される番組に関する情報を記録情報として送信するとよい。
これにより、同一番組を第１および第２の再生手段で再生していた場合、第１および第２の再生手段のいずれで視聴していた続きも、記録再生装置で視聴することができる。
好ましくは、第１の記録装置は、第１および第２の再生手段で再生するための相異なる二つの番組を記録し、第１および第２の再生手段は、第１の記録装置に記録される二つの番組をそれぞれ独立して再生し、記録情報送信手段は、第１の記録装置で記録される二つの番組に関する情報を記録情報として送信するとよい。
これにより、相異なる番組を第１および第２の再生手段で再生していた場合、第１および第２の再生手段のいずれで視聴していた続きも、記録再生装置で視聴することができる。
好ましくは、さらに、記録情報送信手段および再生情報送信手段の少なくとも１つを動作させるための専用ボタンを含むとよい。
これにより、ユーザはより簡単に記録情報の送信、再生情報の送信を行うことができる。
好ましくは、車載用記録再生装置を操作するための操作画面には、記録情報送信手段および再生情報送信手段の少なくとも１つを動作させるための専用メニューが表示されるとよい。
これにより、ユーザはより簡単に記録情報の送信、再生情報の送信を行うことができる。
本発明の第１０の局面は、車内に設置された車載用記録再生装置と通信可能であり、入力信号に基づくデータを記録および再生する記録再生装置であって、車載用記録再生装置から送信されてくる記録情報に基づいて、車載用記録再生装置で記録されているデータと同一のデータを記録する記録装置と、車載用記録再生装置からの第１または第２の再生情報に基づいて、車載用記録再生装置の第１または第２の再生手段で再生が停止された位置から再生を開始する再生開始手段とを含む。
これにより、車載用記録再生装置で異なるディスプレイで番組を視聴していた場合にも、それぞれの続きを記録再生装置で視聴することができる。
好ましくは、記録装置は、記録情報で指定されている一つの番組を記録し、再生開始手段は、車載用記録再生装置からの第１または第２の再生情報に基づいて、車載用記録再生装置の第１または第２の再生手段で再生が停止された位置から番組の再生を開始するとよい。
これにより、車載用記録再生装置で異なるディスプレイで同一の番組を視聴していた場合にも、それぞれの続きを記録再生装置で視聴することができる。
好ましくは、記録装置は、記録情報で指定されている相異なる二つの番組を記録し、再生開始手段は、車載用記録再生装置からの第１または第２の再生情報に基づいて、車載用記録再生装置の第１または第２の再生手段で再生が停止された位置から、第１または第２の再生手段で再生されていた番組の再生を開始するとよい。
これにより、車載用記録再生装置で異なるディスプレイで相異なる番組を視聴していた場合にも、それぞれの続きを記録再生装置で視聴することができる。
好ましくは、さらに、再生開始手段を動作させるための専用ボタンを含むとよい。
これにより、ユーザはより簡単に車載用記録再生装置で視聴した番組の続きを記録再生装置を用いて視聴することができる。
好ましくは、記録再生装置を操作するための操作画面には、再生開始手段を動作させるための専用メニューが表示されるとよい。
これにより、ユーザはより簡単に車載用記録再生装置で視聴した番組の続きを記録再生装置を用いて視聴することができる。
本発明の第１１の局面は、同一の信号が入力される相互に通信が可能な記録再生装置および車載用記録再生装置を備えるシステムにおいて、記録再生装置で再生していたデータの続きを車載用記録再生装置で再生するための方法であって、記録再生装置が再生を停止した場合、車載用記録再生装置に対する記録開始命令を周期的に記録再生装置が送信するステップと、記録再生装置が再生を停止した時点から、再生を停止したデータの記録を記録再生装置が開始するステップと、記録開始命令を受信したら、車載用記録再生装置が、指示されているデータの記録を開始すると共に、受信した旨および当該データの記録を開始した時点についてのＡＣＫ記録情報を記録再生装置に返信するステップと、車載用記録再生装置からのＡＣＫ記録情報を受信した場合、当該ＡＣＫ記録情報で指定されている記録開始時点までのデータを記録再生装置が車載用記録再生装置に送信するステップと、車載用記録再生装置が記録再生装置から送られてくるデータを受信して、受信したデータの先頭から再生するステップとを含む。
本発明の第１２の局面は、同一の信号が入力される相互に通信が可能な車載用記録再生装置および記録再生装置を備える記録再生システムにおいて、車載用記録再生装置で再生されたデータの続きをい記録再生装置で再生するための方法であって、車載用記録再生装置は、記録したデータをそれぞれ独立して第１および第２の再生手段で再生可能であって、自機器内で番組の記録を開始する際、車載用記録再生装置が、記録再生装置に対して、自機器内で記録を開始したデータに関する記録情報を送信するステップと、第１および第２の再生手段で再生を停止した時点を示す第１および第２の再生情報を、車載用記録再生装置が記録再生装置に送信するステップと、車載用記録再生装置から送信されてくる記録情報に基づいて、車載用記録再生装置で記録されているデータと同一のデータを記録再生装置が記録するステップと、車載用記録再生装置からの第１または第２の再生情報に基づいて、車載用記録再生装置の第１または第２の再生手段で再生が停止された位置から記録再生装置が再生を開始するステップとを備える。
好ましくは、車載用記録再生装置は、第１および第２の再生手段で再生するためのある一つの番組を記録し、記録情報を送信するステップでは、番組に関する情報を車載用記録再生装置が記録情報として送信し、記録再生装置が記録するステップでは、車載用記録再生装置から送信されてくる記録情報に基づいて、番組を記録再生装置が記録し、再生を開始するステップでは、車載用記録再生装置からの第１または第２の再生情報に基づいて、車載用記録再生装置の第１または第２の再生手段で再生が停止された位置から、記録再生装置が番組の再生を開始するとよい。
好ましくは、車載用記録再生装置は、第１および第２の再生手段で再生するための相異なる二つの番組を記録し、記録情報を送信するステップでは、二つの番組に関する情報を記録情報として送信し、記録再生装置が記録するステップでは、車載用記録再生装置から送信されてくる記録情報に基づいて、二つの番組を記録し、再生を開始するステップでは、車載用記録再生装置からの第１または第２の再生情報に基づいて、車載用記録再生装置の第１または第２の再生手段で再生が停止された位置から、第１または第２の再生手段で再生されていた番組の再生を記録再生装置が開始するとよい。
このように、本発明の車載用記録再生装置、記録再生装置、記録再生システムおよび記録再生方法によれば、自機器で視聴していたデータの続きをシーンが途切れることなく外部機器で視聴したり、外部機器で視聴していたデータの続きをシーンが途切れることなく自機器で視聴することが可能となる。
本発明の第１３の局面は、入力信号に基づくデータを記録および再生する車載用記録再生装置であって、ランダムアクセス可能な記録媒体を用いており、データを記録媒体へ書き込みながら、書き込まれたデータを記録媒体から読み出す記録装置と、記録装置によって読み出されたデータを再生する再生部と、データの再生を制御する制御部とを備え、制御部は、外部から与えられる車両の走行状態に関する情報に基づいて、ユーザによる車内での視聴を許可するか否かを判断する視聴許可判断手段と、視聴許可判断手段によって視聴不許可であると判断された場合、記録装置によるデータの読み出しを一時停止させる一時停止手段と、視聴許可判断手段によって視聴許可であると判断された場合、一時停止されている時点から、データを記録装置に読み出させ、再生部に再生させる再生開始手段とを含む。
これにより、車載用記録再生装置は、外部から与えられる車両の走行状態に関する情報に基づいて車内での視聴が許可されるか否かを自動的に判断する。視聴を許可しないと判断した場合、車載用記録再生装置は、再生を一時停止する。一方、視聴を許可すると判断した場合、車載用記録再生装置は、一時停止されている時点から再生を開始する。したがって、車の運転中のように、常時連続的に視聴が許可されないような状況にあっても、ユーザは、断続的ではあるが、データの内容を途切れることなる視聴することが可能となる。たとえば、入力信号がテレビ信号である場合、ユーザは、テレビ番組のシーンを途切れることなく断続的に視聴することができる。
好ましくは、制御部は、記録装置に書き込まれるデータから特定のシーンを抽出し、当該特定のシーンを優先して、再生部に再生させるとよい。
これにより、特定のシーンが優先的に再生されることとなるので、再生に必要な時間を短縮しながらも、データの視聴を楽しむことが可能となる。
たとえば、制御部は、入力信号に含まれる映像信号および／または音声信号に基づいて、特定のシーンを決定するとよい。
これにより、盛り上がったシーンのみを再生したり、ＣＭをカットして再生したりすることが可能となるので、再生に必要な時間を短縮しながら、データの視聴を楽しむことが可能となる。
【図面の簡単な説明】  図１は、本発明の第１の実施形態に係る車載用記録再生装置１０１の構成を示す機能ブロック図である。
図２は、ユーザから再生指示があった場合の制御部１０６の動作を示すフローチャートである。
図３は、ユーザから再生指示があった場合の制御部１０６の再生動作を示すフローチャートである。
図４は、録画中に制御信号を受信したときの制御部１０６の再生制御動作を示すフローチャートである。
図５は、特定のシーンだけを抽出して再生する場合の制御部１０６の動作を示すフローチャートである。
図６は、本発明の第２の実施形態に係る記録再生システムの構成を示す図である。
図７は、車載用記録再生装置１２１および家庭用記録再生装置３０３の動作を示すフローチャートである。
図８は、車載用記録再生装置１２１での記録状態、および家庭用記録再生装置３０３での記録状態を模式的に示す図である。
図９は、再生情報を参照して再生を開始する家庭用記録再生装置３０３の動作を示すフローチャートである。
図１０は、本発明の第３の実施形態に係る車載用記録再生装置および家庭用記録再生装置の動作を示すフローチャートである。
図１１は、車載用記録再生装置での記録状態、および家庭用記録再生装置での記録状態を模式的に示した図である。
図１２は、本発明の第４の実施形態に係る記録再生システムの構成を示す図である。
図１３は、再生情報を参照して再生を開始する家庭用記録再生装置３０３の動作を示すフローチャートである。
図１４は、本発明の第５の実施形態に係る記録再生システムの構成を示す図である。
図１５は、車載用記録再生装置１４１の記録状態、家庭用記録再生装置４０３での記録状態を模式的に示した図である。
図１６は、運転者が視聴する（再生部で再生される）番組が切り替えられた場合の車載用記録再生装置および家庭用記録再生装置での記録状態を模式的に示した図である。
【発明を実施するための最良の形態】  以下、本発明の実施の形態の車載用記録再生装置、記録再生装置、記録再生システムについて、図面を用いて説明する。
（第１の実施形態）
図１は、本発明の第１の実施形態に係る車載用記録再生装置１０１の構成を示す機能ブロック図である。第１の実施形態は、車内でテレビ番組を視聴する場合に、シーンが途切れることなくテレビ番組を視聴できる記録再生装置を提供する。
図１において、車載用記録再生装置１０１は、圧縮部１０２と、記録装置１０３と、伸長部１０４と、再生部１０５と、制御部１０６とを含む。
圧縮部１０２は、入力信号を圧縮して、データ量が削減された信号を生成し、記録装置１０３に入力する。本実施形態において、入力信号は、テレビ放送用の信号（以下、テレビ信号という）であるとする。テレビ信号は、映像信号と音声信号とを含むものとする。
記録装置１０３は、圧縮部１０２によって生成された圧縮データを保存する。記録装置１０３は、たとえば、ハードディスクドライブ等、書き込みと読み出しとが同時に可能な記録装置である。ハードディスクのようなランダムアクセスが可能な記録媒体を用いれば、書き込み処理と読み出し処理とを高速に切り替えることによって、録画しながら再生することができる記録装置を提供することが可能となる。このような記録装置は、既に製品化されており、ここでは、これ以上の説明を省略する。
伸長部１０４は、記録装置１０３から圧縮データを読み出し、読み出した圧縮データを伸長してテレビ信号を生成する。
再生部１０５は、伸長部１０４によって生成されたテレビ信号を再生して表示する。たとえば、再生部１０５は、映像信号を液晶ディスプレイに表示し、音声信号を増幅器で増幅してスピーカから出力する。
制御部１０６は、ユーザのコマンド操作による命令信号や、車両内に設置された車速センサ（図示せず）からの信号、ＧＰＳ（Ｇｌｏｂａｌ  Ｐｏｓｉｔｉｏｎｉｎｇ  Ｓｙｓｔｅｍ）受信装置（図示せず）からの位置情報を示す信号、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）受信装置（図示せず）からの交通情報を示す信号等を、制御信号として受信する。制御部１０６は、受信した制御信号に基づいて、圧縮部１０２，記録装置１０３および伸長部１０４を制御してテレビ信号を記録および／または再生させる。
まず、車載用記録再生装置１０１に入力されたテレビ信号が再生されるまでの一連の動作について説明する。テレビ信号は、車両に設置されたテレビ用アンテナ（図示せず）で受信され、Ａ／Ｄコンバータ（図示せず）によってデジタル信号に変換された上で、圧縮部１０２に入力される。
圧縮部１０２は、デジタル信号に変換されたテレビ信号を受信し、たとえば、ＭＰＥＧ−２（Ｍｏｖｉｎｇ  Ｐｉｃｔｕｒｅ  Ｅｘｐｅｒｔｓ  Ｇｒｏｕｐ  ｐｈａｓｅ−２）等の圧縮方式を用いて、圧縮データに変換する。以下、当該圧縮データを圧縮テレビデータという。
圧縮部１０２から出力される圧縮テレビデータは、記録装置１０３内の記録媒体（図示せず）に書き込まれる。ここで、記録媒体として、大量のデータを保存でき、ランダムアクセスが可能であるハードディスクを用いることにする。記録装置１０３は、運転中であっても、圧縮テレビデータを記録することができ、予約録画のように設定した時刻が到来するまで、圧縮テレビデータを記録するか、あるいは、録画停止のコマンドが制御部１０６から与えられるまで圧縮テレビデータを記録する。記録装置１０３は、これらの条件以外では、記録媒体の容量に空きがある限り、録画を続ける。
伸長部１０４は、制御部１０６から再生指示があった場合、記録装置１０３より圧縮テレビデータを読み出して、伸長する。伸長された圧縮テレビデータは、デジタル信号である。
記録装置１０３はランダムアクセス可能なハードディスクを想定しているので、ユーザは、複数存在する番組から好きな番組を選んだり、また、ある番組の途中からなど、ユーザの希望する番組、希望するシーンから再生させることができる。
伸長部１０４から出力されたデジタル信号は、Ｄ／Ａコンバータ（図示せず）によってアナログ信号に変換される。これにより、テレビ信号が生成されることとなる。以下、伸長部１０４がテレビ信号を生成するといった場合、Ｄ／Ａコンバータでの変換の後、アナログのテレビ信号が生成されることを意味するものとする。再生部１０５は、生成されたテレビ信号を再生し、映像や音声を出力する。
走行中の場合、制御部１０６は、たとえば、カーナビゲーションの案内を再生部１０５に表示させる（カーナビゲーションに関する制御系の図示は省略する）。制御部１０６は、ユーザによるテレビの視聴が許可される状況で、かつ、運転者から再生要求がある場合に、伸長部１０４に圧縮テレビデータを伸長させ、再生部１０５に映像を表示させる。
図２は、ユーザから再生指示があった場合の制御部１０６の動作を示すフローチャートである。以下、図２を参照しながら、ユーザから再生指示があった場合の制御部１０６の動作について説明する。
まず、制御部１０６は、再生要求を受信する（ステップＳ１０１）。次に、制御部１０６は、再生開始位置を初期化する（ステップＳ１０２）。ここで、再生開始位置とは、再生する際の圧縮テレビデータの開始位置を示す。すなわち、再生開始位置は、既に再生された圧縮テレビデータの末尾の位置を示す。ステップＳ１０２の初期化において、再生開始位置は、圧縮テレビデータの先頭位置となる。制御部１０６は、再生開始位置をメモリ（図示せず）に格納しておく。
次に、制御部１０６は、記録装置１０３にユーザ所望の番組の圧縮テレビデータを記録するように指示し、番組の録画を開始させる（ステップＳ１０３）。次に、制御部１０６は、車速センサ（図示せず）からの信号を受信して、車両が走行中であるか否かを判断する（ステップＳ１０４）。
走行中でない場合、制御部１０６は、再生中であるか否かを判断する（ステップＳ１０７）。再生中である場合、制御部１０６は、ステップＳ１１３の動作に進む。一方、再生中でない場合、制御部１０６は、現在の再生開始位置を確認し（ステップＳ１０８）、記録装置１０３に記録されている圧縮テレビデータを当該再生開始位置から読み出して伸長するよう伸長部１０４に指示し、伸長されたテレビ信号を再生部１０５に再生させ（ステップＳ１０９）、ステップＳ１１３の動作に進む。
一方、ステップＳ１０４において、走行中であると判断した場合、制御部１０６は、車速センサ（図示せず）からの信号を受信して、車両が徐行中であるか否かを判断する（ステップＳ１０５）。徐行中である場合、制御部１０６は、ＧＰＳ受信装置（図示せず）および／またはＶＩＣＳ受信装置（図示せず）からの情報を受信して、現在位置している場所が安全な場所であるか否かを判断する（ステップＳ１０６）。安全な場所であると判断した場合、制御部１０６は、ステップＳ１０７の動作に進む。一方、安全な場所でないと判断した場合、制御部１０６は、ステップＳ１１０の動作に進む。
安全な場所であるか否かの判断にあたり、たとえば、制御部１０６は、カーナビゲーションシステム（図示せず）の地図情報とＧＰＳ装置（図示せず）からの車両位置情報とに基づいて、カーブの多い山道等は危険な場所であると判断してもよいし、ＶＩＣＳ受信装置（図示せず）からの情報に基づいて渋滞情報を入手し、渋滞の場合は徐行と停止を繰り返すため、安全であると判断してもよい。
一方、ステップＳ１０５の動作において、徐行中でないと判断した場合、制御部１０６は、ステップＳ１１０の動作に進む。
ステップＳ１１０に動作において、制御部１０６は、再生中であるか否かを判断する。再生中である場合、制御部１０６は、再生を一時停止し（ステップＳ１１１）、一時停止した位置を新たな再生開始位置として、メモリ（図示せず）に格納されている再生開始位置を更新し（ステップＳ１１２）、ステップＳ１１３の動作に進む。再生を一時停止した後、制御部１０６は、オーディオ機器（図示せず）を制御して、カーナビゲーションによる道路案内を表示したり、音楽を再生させたり、テレビ音声だけを再生させたりする。
一方、ステップＳ１１０の動作において、再生中でないと判断した場合、制御部１０６は、ステップＳ１１３の動作に進む。
ステップＳ１１３の動作において、制御部１０６は、再生を終了するか否かを判断する。これは、ユーザの指示に基づいて判断してもよいし、所望の番組の録画が終了したか否かに基づいて判断してもよいし、予定していた録画時間が経過したか否かに基づいて判断してもよい。
再生を終了しない場合、制御部１０６は、ステップＳ１０４の動作に戻る。一方、再生を終了する場合、制御部１０６は、処理を終了する。
このように、第１の実施形態に係る車載用記録再生装置は、所望の番組を録画しながら、車の走行状況を検知し、運転者が安全運転義務を遵守できる安全な状況であるか否かを判断する。安全な状況でない場合、車載用記録再生装置は、番組の再生を一時停止すると共に、一時停止した位置を再生開始位置として記憶しておく。安全な状況になれば、車載用記録再生装置は、記憶している再生開始位置に基づいて、所望の番組を途切れることなく再生する。したがって、ドライブ中であっても、車内で所望の番組を途切れることなく安全に視聴することが可能となる。
なお、制御部１０６の動作は、図２のフローチャートに示す動作に限定されるものではない。以下、図３および図４を参照しながら、制御部１０６の他の動作例について説明する。
図３は、ユーザから再生指示があった場合の制御部１０６の再生動作を示すフローチャートである。まず、制御部１０６は、再生要求を受信し（ステップＳ１２１）、再生開始位置を初期化する（ステップＳ１２２）。次に、制御部１０６は、記録装置１０３にユーザ所望の番組の圧縮テレビデータを記録するように指示し、番組の録画を開始させる（ステップＳ１２３）。次に、制御部１０６は、記録装置１０３に記録させた圧縮テレビデータを伸長するよう伸長部１０４に命令し、再生部１０５に再生させ（ステップＳ１２４）、処理を終了する。これにより、所望の番組の録画および再生が開始される。
図４は、録画中に制御信号を受信したときの制御部１０６の再生制御動作を示すフローチャートである。まず、制御部１０６は、制御信号を受信する（ステップＳ１３１）。次に、制御部１０６は、受信した制御信号の内容を認識し、視聴が許可できる安全な状況であるか否かを判断する（ステップＳ１３２）。具体的には、図２のステップＳ１０４〜Ｓ１０６に示したように、車速センサ（図示せず）やＧＰＳ受信装置（図示せず）、ＶＩＣＳ受信装置（図示せず）等からの制御信号に基づいて、制御信号の内容が再生の可否のいずれを示すものであるかを判断する。また、制御部１０６は、車速センサ（図示せず）からの停止を示す制御信号および運転開始を示す制御信号に基づいて、車両が停止したか運転開始したか否かを認識し、視聴の可否を判断してもよい。
視聴を不許可すると判断した場合、制御部１０６は、伸長部１０４に伸長を一時停止するよう命令し、再生を一時停止させ（ステップＳ１３３）、再生開始位置を更新し（ステップＳ１３４）、処理を終了する。
一方、視聴を許可すると判断した場合、制御部１０６は、再生開始位置を確認し（ステップＳ１３５）、伸長部１０４に当該再生開始位置から伸長させ、再生を開始し（ステップＳ１３６）、処理を終了する。
図３および図４に示すように制御部１０６がそれぞれの処理を動作させることによっても、車載用記録再生装置１０１は、所望の番組を途切れることなく、車両が停止するなど、安全な状況となるたびに再生することが可能となる。
なお、第１の実施形態では、入力信号はテレビ信号であるとしたが、これに限られるものでない。たとえば、車載カメラで撮影した映像等の映像信号を含むデータを入力信号として受信し、同様のシステムを構築してもよい。
また、ＤＶＤ−Ｖｉｄｅｏや既に記録していたテレビ番組などを再生するに際し、車載用記録再生装置は、安全な状況であれば、ＤＶＤ−Ｖｉｄｅｏや既に記録していたテレビ番組などを途切れることなく再生するようにしてもよい。この場合、記録動作は不要なので、車載用記録再生装置は、再生制御だけすればよい。具体的には、制御部１０６で再生可能な状況であるか否かを判断し、再生不可能な場合は一時停止するなどの制御処理を行う。あるいは、インターネットなどのコンテンツ配信によるストリーミングにおいて同様のシステムを構築してもよい。
なお、第１の実施形態では、テレビ信号は映像信号と音声信号とを含むこととしたが、これに限られるものではない。たとえば、テレビ信号に文字放送用の信号等が含まれている場合でも、同様のシステムを実現することが可能である。
なお、第１の実施形態では、記録装置１０３はハードディスクドライブであるとしたが、これに限られたものではない。たとえば、半導体メモリやＤＶＤ−ＲＡＭなどランダムアクセスが可能な記録媒体であれば、同様のシステムを実現することが可能である。
なお、第１の実施形態では、入力信号を圧縮し、記録媒体に保存し、伸長して再生することとしたが、これに限られるものではない。記録媒体が十分な容量を有する場合、圧縮部および伸長部を省略して、同様のシステムを構築することも可能である。
なお、第１の実施形態では、徐行中に危険な状況でない場合は視聴を許可するとしたが、この危険な状況であるか否かの判断は第１の実施形態で説明したものに限られたものではない。運転者が安全運転を遵守できる状況であれば、視聴を許可してよい。
なお、第１の実施形態では、番組を途切れることなく再生することとしたが、時間を有効活用するために、たとえば、野球中継での得点シーン等、盛り上がった特定のシーンだけを抽出して、優先的に再生するようにしてもよい。具体的には、車載用記録再生装置は、音声信号の出力レベルを検出することによって、歓声のレベル等から盛り上がったシーンであるか否かを判断し、一定レベル以上のシーンを特定のシーンであるとして決定し、そのシーンの映像のみを抽出して、再生するようにしてもよい。また、車載用記録再生装置は、映像信号に含まれる情報を検出して、番組制作者側が視聴者に視聴させたい特定のシーンであるか否かを判断し、その特定のシーンのみを抽出して再生するようにしてもよい。また、車載用記録再生装置は、映像信号に含まれる情報を検出して、ＣＭのシーンであるか否かを判断し、ＣＭ以外のシーンを特定のシーンであるとして決定し、その特定のシーンのみを抽出して再生するようにしてもよい。これにより、時間の有効活用が可能となる。
図５は、特定のシーンだけを抽出して再生する場合の制御部１０６の動作を示すフローチャートである。以下、図５を参照しながら、特定のシーンだけを抽出して再生する場合の制御部１０６の動作について説明する。図５に示す動作は、図２に示すステップＳ１０９または図３に示すステップＳ１２４の処理と並行して行われる。
まず、制御部１０６は、現在、記録装置１０３内に録画されている番組を追いかけ再生中であるか否かを判断する（ステップＳ１４１）。追いかけ再生中でない場合、制御部１０６は、ステップＳ１４１の動作に戻る。一方、追いかけ再生中である場合、制御部１０６は、特定シーンを再生中であるか否かを判断する（ステップＳ１４２）。
特定シーンを再生中である場合、ステップＳ１４１の動作に戻る。一方、特定シーンを再生中でない場合、制御部１０６は、次に到来する特定シーンを認識する（ステップＳ１４３）。具体的には、制御部１０６は、映像信号に含まれる情報を先読みしたり、音声レベルのみを先読みしたりして、次に到来する特定シーンを認識する。次に、制御部１０６は、認識した次に到来する特定シーンまで現在再生中の番組をスキップして再生するように伸長部１０４に指示し（ステップＳ１４４）、ステップＳ１４１の動作に戻る。
特定シーンの認識方法は、上述のように、音声出力レベルに基づいて認識する方法や、映像信号に含まれる情報に基づいて認識する方法の他、特定シーンを認識できる方法であれば、どのような方法であってもよい。
なお、ユーザは、録画した番組をリムーバブルメディアなどに保存して、車外にも持ち出して再生してもよい。あるいは、車載用記録再生装置と家庭用記録再生装置とが通信可能であれば、ユーザは、録画した番組を車載用記録再生装置から家庭用記録再生装置にダウンロードして、所望の番組を再生することもできる。
なお、ユーザは、録画した番組をリムーバブルメディアなどに保存して、車外にも持ち出して再生してもよい。あるいは、車載用記録再生装置と家庭用記録再生装置とが通信可能であれば、ユーザは、録画した番組を車載用記録再生装置から家庭用記録再生装置にダウンロードして、所望の番組を再生することもできる。
（第２の実施形態）
第２の実施形態では、車を運転していて家に戻る場合に、車内で視聴していたテレビ番組の続きをシーンが途切れることなく家で視聴できる記録再生システムについて説明する。
図６は、本発明の第２の実施形態に係る記録再生システムの構成を示す図である。図６において、記録再生システムは、車載用記録再生装置１２１と、車載用通信部３０１と、家庭用通信部３０２と、家庭用記録再生装置３０３とを備える。車載用記録再生装置１２１は、制御部１２６と、圧縮部（図示せず）と、記録装置（図示せず）と、伸長部（図示せず）と、再生部（図示せず）とを含む。なお、制御部１２６は、第１の実施形態に係る制御部１０６に相当する。制御部１２６以外の部分については、第１の実施形態と同様の機能を有するので、図６では図示を省略する。
車載用通信部３０１は、制御部１２６と通信すると共に、インターネット（図示せず）等を介して、外部の通信装置と通信する。家庭用通信部３０２は、インターネット（図示せず）等を介して、外部の通信装置と通信する。ここでは、車載用通信部３０１と家庭用通信部３０２とが通信する状況を想定している。
家庭用記録再生装置３０３および車載用記録再生装置１２１には、入力信号としてテレビ信号が入力される。
車載用記録再生装置１２１は、入力されるテレビ信号を記録および／または再生する。
制御部１２６は、必要に応じて、家庭用記録再生装置３０３にテレビ信号の記録を開始するよう指示する。以下、この指示の際に送信される情報を記録情報という。記録情報には、どの番組を何時から何時まで録画するのかといった情報が含まれている。制御部１２６は、必要に応じて、家庭用記録再生装置３０３に再生情報を送信する。ここで、再生情報とは、車載用記録再生装置１２１においてどの番組をどのシーンまで再生したかを示す情報のことをいう。
家庭用記録再生装置３０３は、記録媒体としてハードディスク（図示せず）を含み、ユーザおよび／または車載用記録再生装置１２１からの指示に応じて、入力されるテレビ信号を記録および／または再生する。家庭用記録再生装置３０３は、車載用記録再生装置１２１からの記録情報を受信した場合、記録を開始する。家庭用記録再生装置３０３は、車載用記録再生装置１２１またはユーザからの特別な指示がない限り、当該番組の記録を継続する。家庭用記録再生装置３０３は、車載用記録再生装置１２１からの再生情報を記憶しておき、ユーザが車内でどの番組をどのシーンまで視聴したかを管理する。家庭用記録再生装置３０３は、記憶している再生情報に基づいて、ユーザが車内で視聴していた番組の続きを再生する。
図７は、車載用記録再生装置１２１および家庭用記録再生装置３０３の動作を示すフローチャートである。以下、図７を参照しながら、車載用記録再生装置１２１および家庭用記録再生装置３０３の動作について説明する。
まず、車載用記録再生装置１２１の動作について説明する。車載用記録再生装置１２１の制御部１２６は、車内で視聴していた番組の続きを家庭用記録再生装置３０３でも視聴したいというユーザからの指示（記録開始指示）を受信し、所望の番組の録画を開始させ、番組の再生を開始させる（ステップＳ２０１）。例えば、本体やリモコンに「シームレス機能ボタン」なるボタンがあり、この記録開始指示は、ユーザが当該ボタンを押すことで車載用記録再生装置１２１の制御部１２６に通知される。このシームレス機能ボタンは、単に記録開始指示を車載用記録再生装置１２１に通知するだけでなく、以後の動作を発動させるためのスタートスイッチの役割を果たしている。
次に、制御部１２６は、家庭用記録再生装置３０３宛に記録情報を送信して、記録装置１０３で録画中の番組と同一の番組を家庭用記録再生装置３０３に録画させる（ステップＳ２０２）。
次に、制御部１２６は、再生を停止すべきか否かを判断する（ステップＳ２０３）。この判断は、第１の実施形態で説明したように、安全な場所で走行中であるか否かに基づいて行えばよい。再生を停止すべきである場合、制御部１２６は、再生を停止させ、再生開始位置を更新し（ステップＳ２０４）、ステップＳ２０５の動作に進む。再生開始位置については、第１の実施形態の場合と同様である。一方、再生を停止すべきでない場合、制御部１２６は、ステップＳ２０５の動作に進む。
ステップＳ２０５において、制御部１２６は、再生情報を送信すべきか否かを判断する。具体的には、制御部１２６は、エンジンが停止することによって電源がオフになる前に再生情報を送信すると判断してもよいし、再生停止毎に再生情報を送信するとしてもよい。
ステップＳ２０５において、再生情報を送信すべきと判断した場合、制御部１２６は、再生情報を送信して（ステップＳ２０６）、ステップＳ２０７の動作に進む。一方、再生情報を送信すべきでないと判断した場合、制御部１２６は、ステップＳ２０７の動作に進む。
ステップＳ２０７において、制御部１２６は、記録を終了するべきか否かを判断する。記録を終了すべきでない場合、制御部１２６は、ステップＳ２０３の動作に戻る。一方、記録を終了すべきである場合、制御部１２６は、記録を終了して（ステップＳ２０８）、処理を終了する。制御部１２６は、処理を終了する際、最終的な再生情報を家庭用記録再生装置３０３に送信してもよい。
次に、家庭用記録再生装置３０３の動作について説明する。まず、家庭用記録再生装置３０３は、車載用記録再生装置１２１から送信されてくる記録情報を受信する（ステップＳ３０１）。次に、家庭用記録再生装置３０３は、記録情報に含まれている番組の録画を開始する（ステップＳ３０２）。これにより、車載用記録再生装置１２１で録画されている番組と同一の番組が、家庭用記録再生装置３０３でも録画されることとなる。
次に、家庭用記録再生装置３０３は、再生情報を受信したか否かを判断する（ステップＳ３０３）。再生情報を受信した場合、家庭用記録再生装置３０３は、再生情報を更新し（ステップＳ３０４）、ステップＳ３０５の動作に進む。一方、再生情報を受信していない場合、家庭用記録再生装置３０３は、ステップＳ３０５の動作に進む。
ステップＳ３０５の動作において、家庭用記録再生装置３０３は、記録を終了すべきか否かを判断する。具体的には、これの判断は、番組が終了したか否かや、ユーザからの特別な指示があったか否か等によってなされる。記録を終了すべきでない場合、家庭用記録再生装置３０３は、ステップＳ３０３の動作に戻る。一方、記録を終了すべきである場合、家庭用記録再生装置３０３は、記録を終了して（ステップＳ３０６）、処理を終了する。
図８は、車載用記録再生装置１２１での記録状態、および家庭用記録再生装置３０３での記録状態を模式的に示す図である。図８において、バーの長さがそれぞれの総容量を示している。ただし、それぞれのバーの長さの差は、容量の相対的な大小関係を表すもので、絶対的な容量の差を表すものではない。また、記録媒体にはランダムアクセス可能なものを用いるためディスク上の様々なアドレスから記録が行われるが、図８では、説明簡略化のためデータは左端から右に向かって記録されているものと想定している。
以下、図８を参照しながら、車載用記録再生装置１２１および家庭用記録再生装置３０３の動作を具体的に説明する。車載用記録再生装置１２１は、ａ点で番組の録画を開始したとする。この時点で、車載用記録再生装置１２１は、記録情報を家庭用記録再生装置３０３に送信する。当該記録情報を受け取った家庭用記録再生装置３０３は、ａ点から同じ番組の録画を開始する。なお、実際は、記録情報が家庭用記録再生装置３０３に到達するまでの時間差があるので、完全に同一の時点から録画が開始するわけではない。この問題については、後で説明する。
車載用記録再生装置１２１は、ｂ点まで、再生を終了していたとする。続いて、車載用記録再生装置１２１は、エンジン停止による電源のオフによって、ｃ点で車内での記録を終了したとする。この場合、車載用記録再生装置１２１は、ｂ点に関する情報を再生情報として記憶している。車載用記録再生装置１２１は、電源がオフする直前、ｂ点に関する再生情報を家庭用記録再生装置３０３に送信する。ｃ点までのデータは、車載用記録再生装置１２１および家庭用記録再生装置３０３の両方に記録されていることとなる。
家庭用記録再生装置３０３は、当該番組の終了時点であるｄ点まで録画を継続する。ユーザは、車内で視聴していた番組の続きを視聴したい場合、その旨の指示を家庭用記録再生装置３０３に与える。家庭用記録再生装置３０３は、当該番組を録画しながら、ｂ点から再生を開始し、所望の番組の追いかけ再生を実現する。
なお、上記ａ〜ｄ点は、実際のアドレスポインタで示すのではなく、記録開始位置からどの程度進んでいるかを示す情報である。また、車載用記録再生装置１２１で録画を終了するｃ点は、エンジン停止による電源オフ時に限られず、ユーザが任意に指定して、録画を停止してもよい。車載用記録再生装置で録画が終了したとしても、番組は、家庭用記録再生装置３０３で最後まで録画され続けるので、ユーザは、番組を最後まで視聴することができる。なお、家庭用記録再生装置３０３での記録も停止できるコマンドが車載用記録再生装置１２１に用意されていてもよい。
図９は、再生情報を参照して再生を開始する家庭用記録再生装置３０３の動作を示すフローチャートである。以下、図９を参照しながら、再生情報を参照して再生を開始する家庭用記録再生装置３０３の動作について説明する。
まず、家庭用記録再生装置３０３は、車両で視聴した番組の続きを見たいというユーザからの指示を受信する（ステップＳ３１１）。たとえば、リモコンに「シームレス再生ボタン」なるものがあり、この指示は、ユーザが当該ボタンを押すことで家庭用記録再生装置３０３に通知される。このシームレス再生ボタンは以後の動作のスタートボタンの役割を果たす。次に、家庭用記録再生装置３０３は、記憶している再生情報を参照する（ステップＳ３１２）。次に、家庭用記録再生装置３０３は、参照した再生情報に基づいて、どの時点で再生が終了しているか認識し（ステップＳ３１３）、その時点から再生を開始し（ステップＳ３１４）、処理を終了する。
このように、本発明の第２の実施形態に係る記録再生システムは、ユーザが車内で視聴していた番組と同一の番組を家庭用記録再生装置３０３でも録画することができ、さらに、車内で最終的に再生が終了した時点を家庭用記録再生装置３０３に伝えることができる。したがって、家庭用記録再生装置３０３は、車内で途中まで視聴した番組の続きを家でシーンが途切れることなく最後まで再生することができるので、ユーザは、車内で視聴した番組の続きを最後まで視聴することが可能となる。
なお、第２の実施形態では、運転者がテレビを視聴する状況を想定したが、同乗者がテレビを視聴する場合にも同様のシステムを利用できる。同乗者がテレビ視聴する場合は、運転状況に関わらず視聴が可能であるため、この場合は記録装置がなくてもよく、再生情報送信処理のみが行われればよい。
なお、上記ステップＳ３０４において、再生情報を更新する際、家庭用記録再生装置３０３は、新たな再生情報より前に受信した再生情報で示される位置より前のデータ（すなわち、車内で既に再生されたデータ）を削除するようにしてもよい。これにより、記憶領域を効率よく利用することが可能となる。
なお、第２の実施形態では、車載用記録再生装置１２１が記録情報を家庭用記録再生装置３０３に送信することによって、同時期に車載用記録再生装置１２１と家庭用記録再生装置３０３とで同一の番組を録画することとした。その上で、車載用記録再生装置１２１が再生終了時点であるｂ点に関する情報を再生情報として、家庭用記録再生装置３０３に送信し、家庭用記録再生装置３０３が当該再生情報に基づいて、ｂ点から番組の再生を開始することとした。しかし、家庭用記録再生装置３０３がｂ点からｃ点までの番組に関するデータを取得することができるのであれば、上記実施形態のような動作に限られるものではない。たとえば、ｃ点が到来したときに、車載用記録再生装置１２１がｂ点からｃ点までのデータを家庭用記録再生装置３０３に送信し、家庭用記録再生装置３０３が送られてきたデータに基づいてｂ点からのデータを再生しつつ、並行して、ｃ点以降の番組を録画すればよい。この場合、家庭用記録再生装置３０３は、ｂ点からｃ点までの再生が終了したら、ｃ点以降に録画した番組を再生するようにすればよい。
なお、第２の実施形態では、記録情報が車載用記録再生装置１２１から家庭用記録再生装置３０３に到達するまでの間、時間差が生じることとなるので、家庭用記録再生装置３０３で記録できない箇所が生じる。この問題を解決するために、車載用記録再生装置１０１は、記録の開始位置より所定期間だけ前の位置から当該開始位置までのデータを、記録情報を送信した後、家庭用記録再生装置３０３に送信してもよい。ここで、当該所定の時点は、通信によって生じる時間差に基づいて、決定される。この場合、送信されてくるデータを受信した家庭用記録再生装置３０３は、自機器内で記録済みのデータと連続的につながるように受信したデータを記録する。これにより、記録情報が到達するまでの間の番組も、家庭用記録再生装置３０３に記録されることとなる。
また、車載用記録再生装置１２１は、家庭用記録再生装置３０３と通信することによって、記録開始位置を認識し、車載用記録再生装置１２１で未再生かつ家庭用記録再生装置３０３で記録されていないデータのみを、家庭用記録再生装置３０３に転送するようにしてもよい。なお、車載用記録再生装置１２１で未再生かつ家庭用記録再生装置３０３で記録されていないデータを家庭用記録再生装置３０３に転送させるための専用のボタンやメニュー画面が設けられてもよい。
なお、第２の実施形態では、車載用通信部３０１と家庭用通信部３０２とは、インターネットを介して通信することとしたが、これに限られるものではなく、通信可能であれば、どのようなシステムを介して通信してもよい。たとえば、携帯電話回線を介して直接通信してもよい。
なお、第２の実施形態では、テレビ信号を例に説明したがこれに限られるものではない。入力信号として、映像信号を含むデータを受信するとしてもよい。
なお、テレビ番組を視聴する以外に、車内でＤＶＤ−Ｖｉｄｅｏを視聴する場合、車載用記録再生装置１２１は、車内で最終的に再生していたアドレスを家庭用記録再生装置３０３に送信し、家庭用記録再生装置３０３は、ユーザが後で同じＤＶＤ−Ｖｉｄｅｏを再生する際、当該アドレスを参照して、車で視聴していたシーンの続きを再生するようにしてもよい。この場合、車載用記録再生装置１２１は、再生情報の他、ＤＶＤ−Ｖｉｄｅｏのメディアを特定する情報を送信する必要がある。
その他、ラジオ放送などの映像信号を含まないデータに関しても同様に車で聴いていた続きを家で聞くことができるようにすることも可能である。
なお、第２の実施形態では、家庭用記緑再生装置３０３は車載用記録再生装置１２１から記録情報を受信することよって記録を開始することとしたが、これに限られるものではない。たとえば、家庭用記録再生装置３０３は、車が家に近づいてきたら記録を開始してもよい。この場合、家庭用記録再生装置３０３は、車と家との距離情報を取得し、ある特定の距離に車が近づいてきたら、記録を開始すればよい。車と家との距離情報は、たとえば、ＧＰＳとカーナビゲーションシステムとを連動することで得ることができる。あるいは、車載用記録再生装置１２１が車と家との距離がある一定値より小さくなったときに記録情報を家庭用記録再生装置３０３に送信するとしてもよい。または、家庭用記録再生装置３０３は、ユーザからの任意のタイミングでの指示により、記録を開始してもよい。
なお、車載用記録再生装置１２１における記録開始指示の送信は、ユーザがシームレス機能ボタンを押すことによって行われることとしたが、これに限られるものではない。たとえば、操作メニューに「シームレス機能」なるメニューを設け、ユーザがメニュー画面上でそれを選ぶことによって、記録開始指示が送信されるとしてもよい。あるいは、ユーザがテレビ番組を視聴開始したときに自動的に記録が開始され、記録開始指示が送信されるとしてもよい。この場合は、設定で自動シームレス機能をＯＮ／ＯＦＦを切り替えられるようにすれば、普段は記録をして欲しくない場合にも対応可能である。
なお、家庭用記録再生装置３０３の記録媒体の容量と車載用記録再生装置１２１の記録媒体の容量との大小関係は、上記に示すものに限られない。
なお、家庭用記録再生装置３０３において車内で視聴したシーンの続きを再生する際に、シームレス再生ボタンを押すとしたが、これに限られるものではない。たとえば、操作メニューに「シームレス再生」なるメニューを設け、ユーザがメニュー画面上でそれを選べば、続きが再生できるとしてもよい。
なお、第２の実施形態では、車内で視聴していた番組の続きから家庭用記録再生装置３０３で再生することとしたが、これに限られるものではない。たとえば、家庭用記録再生装置３０３は、車内で最後に見たシーンの所定期間少し前から再生するようにしてもよい。これにより、ユーザは、シーンのつながりを認識することが可能となる。
（第３の実施形態）
第３の実施形態では、家でテレビを視聴していて車で出かける場合に、家で視聴していたテレビ番組の続きをシーンが途切れることなく車内で視聴できる記録再生システムについて説明する。システム構成図は、第２の実施形態の場合と同様であるとし、図６を援用する。
図１０は、本発明の第３の実施形態に係る車載用記録再生装置および家庭用記録再生装置の動作を示すフローチャートである。以下、図１０を参照しながら、車載用記録再生装置および家庭用記録再生装置の動作について説明する。
まず、家庭用記録再生装置の動作について説明する。
家庭用記録再生装置は、ユーザからの指示等によって、テレビ番組の再生を停止する（ステップＳ４０１）。このとき、再生していたテレビ番組は、追いかけ再生しているテレビ番組であってもよいし、リアルタイムに放送されているテレビ番組であってもよい。
次に、家庭用記録再生装置は、視聴していた番組の続きを継続して車内でも視聴したいというユーザからの実行命令を受信する（ステップＳ４０２）。視聴していた番組の続きを継続して車内でも視聴する機能のことを、シームレス再生機能ということにする。たとえば、リモコンや家庭用記録再生装置本体に「シームレス機能ボタン」なるものがあり、ユーザが当該ボタンを押すことで、シームレス再生機能の実行命令は、家庭用記録再生装置に与えられる。このシームレス機能ボタンは、以後の動作のスタートボタンとしての役割を果たしている。
次に、家庭用記録再生装置は、シームレス再生機能の実行命令の対象となっている番組の記録を開始する（ステップＳ４０３）。なお、タイマー予約などにより、既に番組を録画している場合、家庭用記録再生装置は、そのまま録画を継続する。
次に、家庭用記録再生装置は、車載用記録再生装置へシームレス再生機能の実行命令を送信する（ステップＳ４０４）。これに対し、車載用記録再生装置は、当該実行命令を受信した旨のＡＣＫ信号および記録をどの時点から開始したかを示す記録開始情報（ＡＣＫ信号および記録開始情報をＡＣＫ記録情報という）を返信する。これについては、後述する。
家庭用記録再生装置は、車載用記録再生装置からのＡＣＫ信号および記録開始情報を受信したか否かを判断する（ステップＳ４０５）。受信していない場合、家庭用記録再生装置は、ステップＳ４０４の動作に戻り、当該実行命令を再び送信する。家庭用記録再生装置は、当該実行命令の再送を一定期間（たとえば、１分間）経過後に行う。一定期間（たとえば、１０分間）経過しても、ＡＣＫ信号が返ってこない場合、家庭用記録再生装置は、当該実行命令の送信を中止する。
一方、ＡＣＫ信号および記録情報を受信した場合、家庭用記録再生装置は、当該記録情報に基づいて、所望の番組の再生が停止されてから車載用記録再生装置で記録が開始するまでの間に記録しておいたデータを認識し、当該データを車載用記録再生装置宛に送信し（ステップＳ４０６）、処理を終了する。
次に、車載用記録再生装置の動作について説明する。
まず、車載用記録再生装置に、電源が投入される（ステップＳ５０１）。次に、車載用記録再生装置は、家庭用記録再生装置からのシームレス再生機能の実行命令を受信したか否かを判断する（ステップＳ５０２）。家庭用記録再生装置は１分間隔毎に実行命令を送信しているので、車載用記録再生装置は、１分以内には、当該実行命令を受信できる。
シームレス再生機能の実行命令を受信していない場合、車載用記録再生装置は、ステップＳ５０２の動作を繰り返す。一方、シームレス再生機能の実行命令を受信した場合、車載用記録再生装置は、所望の番組の記録を開始し（ステップＳ５０３）、ステップＳ５０４の動作に進む。
ステップＳ５０４の動作において、車載用記録再生装置は、当該実行命令を受信した旨のＡＣＫ信号および記録を開始した時点を示す記録開始情報を家庭用記録再生装置宛に送信する（ステップＳ５０４）。記録開始情報は、記録を開始した時点を示す時間情報である。車載用記録再生装置の時計が示す時刻と家庭用記録再生装置の時計が示す時刻とが一致していないとずれが生じるので、これらの装置は、電波時計等を用いて、正確に同期している。
これに対して、家庭用記録再生装置は車載用記録再生装置が記録できなかったシーンについてのデータを送信するので、車載用記録再生装置は、当該データを受信し（ステップＳ５０５）、処理を終了する。
その後、車載用記録再生装置は、ユーザの指示に応じて、番組の続きを再生する場合、家庭用記録再生装置から受信したデータから先に再生して、次に、自装置が記録したデータを再生する。具体的には、第１の実施形態の場合と同様であるので図２、または図３および図４のフローチャートを援用する。ただし、ステップＳ１０２またはＳ１２２において、再生開始位置を初期化するに際しては、ステップＳ５０５で受信したデータの開始位置が再生開始位置として登録されることとなる。リモコンや車載用記録再生装置に「シームレス再生ボタン」なるものがあり、ユーザによって当該ボタンが押されると、再生が開始される。これによって、家で見ていたシーンの続きをユーザは、視聴することが可能となる。
図１１は、車載用記録再生装置での記録状態、および家庭用記録再生装置での記録状態を模式的に示した図である。図１１での記載方法は、図８の場合と同様である。
以下、図１１を参照しながら、車載用記録再生装置および家庭用記録再生装置の動作を具体的に説明する。家庭用記録再生装置は、ｅ点でシームレス再生機能用の記録を開始したとする。その後、家庭用記録再生装置は、シームレス再生機能の実行命令を送信する。車載用記録再生装置は、ｆ点で、当該実行命令を受信したとすると、ｆ点から所望の番組の記録を開始し、ＡＣＫ信号および記録情報を家庭用記録再生装置に返信する。
この返信を受け取った家庭用記録再生装置は、ｆ点までに記録したデータを車載用記録再生装置に送信する。車載用記録再生装置は、当該データを受信し、自装置の記録媒体に格納する。これにより、車載用記録再生装置には、家で再生が中止されたｅ点からｆ点までのデータが格納されることとなるので、ユーザは、家で視聴していた番組を途切れることなく視聴することが可能となる。
このように、本発明の第３の実施形態に係る記録再生システムは、家で見ていたテレビ番組の続きを家庭用記録再生装置に一時記録しておき、家から車に移動するまでの間視聴することができなかったシーンについてのデータを車載用記録再生装置に転送するので、家でテレビ番組を見ていて車で出かけなければならなくなった場合にも、車でその番組をシーンが途切れることなく視聴することを可能となる。
なお、第３の実施形態では、家庭用記録再生装置は、ＡＣＫ信号を受信した後、車載用記録再生装置にデータを送信することとしたが、これに限られるものではない。たとえば、車載用記録再生装置が、データ送信を要求し、家庭用記録再生装置がこの要求に応じて、記録済みのデータを送信するようにしてもよい。
なお、第３の実施形態では、視聴する番組を現在放送されているものに限定したが、これに限られるものではない。たとえば、既に記録済みの番組等を車でもみたい場合、家庭用記録再生装置は、車載用記録再生装置に記録済みのデータをすべて送信したり、未再生のデータを全て再生してもよい。また、ＤＶＤ−Ｖｉｄｅｏなどのメディアの場合、家庭用記録再生装置は、再生を停止したアドレスポイントを車載用記録再生装置に送信し、車載用記録再生装置は、当該アドレスポイントに基づいて、途中からディスクを再生することで車の中でその続きを視聴することが可能となる。
なお、第３の実施形態では、家庭用記録再生装置は、車載用記録再生装置にシームレス再生機能実行命令を１分間毎に送信することとしたが、これに限られるものではない。家で再生を停止して車にエンジンをかけるまでの間、すなわち家庭用記録再生装置とガレージとの間の距離などを考慮して、家庭用記録再生装置が、適切な時間毎に当該実行命令を送信するよう設定してもよい。同様に、タイムアウト時間を１０分と設定したが、これも適切な時間に設定してよい。
なお、第３の実施形態では、ユーザがシームレス機能ボタンを押すことで、家庭用記録再生装置が、シームレス再生機能実行命令を送信することとしたが、これに限られるものではない。たとえば、操作メニューからシームレス再生機能実行命令の送信が選ばれてもよい。あるいは、家庭用記録再生装置は、電源が切られるときに、自動的にシームレス再生機能実行命令を送信してもよい。この場合、車で出かけないなら、家庭用記録再生装置は、タイムアウトによりシームレス再生機能を停止するので、番組を無意味に記録することはない。
なお、再生停止（ステップＳ４０１）のタイミングと電源投入（ステップＳ５０１）のタイミングとは、どちらが先であってもよい。
なお、第３の実施形態では、車載用記録再生装置の時計と家庭用記録再生装置の時計との同期を取るために電波時計を利用するとしたが、これに限られるものではない。他の方法で時計の同期を取る場合でも同様のシステムを実現することができる。
なお、シームレス再生ボタンが押されることによって、車載用記録再生装置において再生が開始されることとしたが、これに限られるものではない。たとえば、操作メニューから選ばれることによって、再生が開始されてもよい。あるいは、車載用記録再生装置において、家で見ていたシーンの続きを再生する準備ができたら、自動的に再生が開始されてもよい。
なお、第３の実施形態では、車内で視聴するシーンは、家で最後に再生したシーンの続きからであるとしたが、これに限られるものではない。たとえば、家庭用記録再生装置は、随時、一定期間前のデータを記録しておき、最後に再生したシーンの少し前のシーンのデータから車載用記録再生装置に送信し、車載用記録再生装置は、少し前のシーンから再生するようにしてもよい。
なお、第３の実施形態では、家庭用記録再生装置は再生停止後に記録を開始するとしたが、再生停止前に車載用記録再生装置に記録指示を送信し記録を開始させるようにしてもよい。これにより、家庭用記録再生装置における記録動作を省略することができる。
なお、第１〜第３の実施形態で示した記録再生装置およびシステムは、車載用および家庭用であるとしたが、用途としてはこれに限られるものではない。上記実施形態で示した記録再生装置は、あることをしながらテレビ番組を視聴したいときに、テレビ番組のシーンを断続的ではあるが、途切れることなく再生したい場合に用いることができる。たとえば、家事をしながらテレビ番組を視聴したい場合、テレビの前にユーザが位置していたときだけ再生するようにしてもよい。また、工場やビル管理などある作業をしながら映像を視聴したい場合、モニタの前にユーザが位置していたときだけ再生するようにしてもよい。このような場合、人感知センサからの制御信号に基づいて、制御部は、視聴を許可するか否かを判断すればよい。
（第４の実施形態）
第４の実施形態では、車内で複数のユーザ、例えば運転者がフロントディスプレイで、同乗者が後部座席用ディスプレイでテレビ番組を視聴する場合に、それぞれが車内で視聴した続きを家で視聴することができる記録再生システムについて説明する。
図１２は、本発明の第４の実施形態に係る記録再生システムの構成を示す図である。図１２において、記録再生システムは、車載用記録再生装置１３１と、車載用通信部３０１と、家庭用通信部３０２と、家庭用記録再生装置３０３とを備える。車載用記録再生装置１３１は、制御部１３６と、第二伸長部１３４と、第二再生部１３５と、圧縮部（図示せず）と、記録装置（図示せず）と、第一伸長部１０４と、第一再生部１０５とを含む。制御部１３６は、第２、第３の実施形態に係る制御部１２６に相当する。圧縮部、記録装置については、第１〜３の実施形態と同様の機能を有するので、図１２では図示を省略する。第一伸長部１０４および第一再生部１０５は、第１の実施形態における伸長部１０４および再生部１０５と同様の機能を有するので、同一の参照符号を付す。
第二伸長部１３４は、第一伸長部１０４と同様に記録装置と接続されている（図示せず）。第二伸長部１３４は、第一伸長部１０４と同様の機能を有しており、記録装置から圧縮データを読み出し、読み出した圧縮データを伸長してテレビ信号を生成する。
第二再生部１３５は、第二伸長部１３４によって生成されたテレビ信号を再生して表示する。たとえば、第二再生部１３５は、映像信号を後部座席用ディスプレイに表示し、音声信号を後部座席用のヘッドホンから出力する。
本実施形態では第２、第３の実施形態と同様、車載用通信部３０１が制御部１３６と通信すると共に、インターネット（図示せず）等を介して、家庭用通信部３０２と通信する状況を想定している。
同様に、車載用記録再生装置１３１と家庭用記録再生装置３０３とには、入力信号としてテレビ信号が入力される。
また、車載用記録再生装置１３１では、運転者と同乗者とは同じテレビ番組を視聴しているものとする。運転者は車が走行中は視聴することができないため、運転者と同乗者とでは同じ番組でも異なるシーンを視聴することになる。
制御部１３６は、必要に応じて家庭用記録再生装置３０３にテレビ信号の記録を開始するよう指示する。制御部１３６が家庭用記録再生装置３０３に送信する記録情報は、第２の実施形態で説明した記録情報と同様のものである。また、制御部１３６は、家庭用記録再生装置３０３に再生情報を送信する。本実施形態における再生情報は、第一再生部１０５においてどの番組をどのシーンまでを再生したかを示す第１の再生情報と、第二再生部１３５においてどの番組をどのシーンまでを再生したかを示す第２の再生情報とを含む。上述のように、第１の再生情報で指定されている番組と第２の再生情報で指定されている番組とは同一である。
家庭用記録再生装置３０３は、第２の実施形態と同様に、車載用記録再生装置１３１からの指示に応じて、入力されるテレビ信号を記録および／または再生する。家庭用記録再生装置３０３は、車載用記録再生装置１３１から送信された記録情報を受信すると、記録を開始する。また、家庭用記録再生装置３０３は、車載用記録再生装置１３１からの再生情報を記憶する。再生情報は第１および第２の再生情報を含むので、家庭用記録再生装置３０３は、運転者と同乗者とがそれぞれ車内でどの番組をどのシーンまで視聴したかを管理する。
本実施形態における車載用記録再生装置１３１および家庭用記録再生装置３０３の動作は第２の実施形態で説明したものとほぼ同等であり、図７で示したフローチャートに従う。異なる点は、ステップＳ２０４において更新される再生情報の内容が、第一再生部１０５がどの番組をどのシーンまで視聴したかという第１の再生情報と、第二再生部１３５がどの番組をどのシーンまで視聴したかという第２の再生情報とを含むという点である。
ここで車載用記録再生装置１３１における再生について説明する。第一再生部１０５については第１、第２の実施形態で説明した通りである。第二再生部１３５については、視聴するユーザが同乗者であるため、車の走行状態にかかわらず再生を行うことが可能である。
図８を用いて説明する。ａ点、ｂ点、ｄ点は第２の実施形態で説明した通りである。ｃ点は車内で記録を終了した点であると同時に、同乗者が視聴を終えた点、すなわち第二再生部１３５が再生を終了した点である。このように、ｂ点に開する情報が第１の再生情報となる。ｃ点に関する情報が第２の再生情報となる。よって、第一再生部１０５で再生が終了した時点と第二再生部１３５で再生が終了した時点とが異なる場合でも、再生情報には、再生が終了したそれぞれの時点が情報として含まれることとなる。
図１３は、再生情報を参照して再生を開始する家庭用記録再生装置３０３の動作を示すフローチャートである。以下、図１３を参照しながら、再生情報を参照して再生を開始する家庭用記録再生装置３０３の動作について説明する。
まず、家庭用記録再生装置３０３は、ユーザ指示を受信する（ステップＳ６０１）。たとえば、リモコンに「シームレス再生ボタン１」、「シームレス再生ボタン２」なるものがあり、ユーザがこのボタンのどちらかを押すことで、この指示が家庭用記録再生装置３０３に通知される。このシームレス再生ボタン１およびシームレス再生ボタン２は以後の動作のスタートボタンの役割を果たす。
次に、家庭用記録再生装置３０３は、ユーザＩＤを判断する（ステップＳ６０２）。具体的には、ステップＳ６０１において押されたボタンがシームレス再生ボタン１ならばＩＤ＝１とし、シームレス再生ボタン２が押されたならばＩＤ＝２とする。ＩＤ＝１の場合、家庭用記録再生装置３０３は、ステップＳ６０３の動作に進む。一方、ＩＤ＝２の場合、家庭用記録再生装置３０３は、ステップＳ６０５の動作に進む。
ステップＳ６０３において、家庭用記録再生装置３０３は、第１の再生情報を参照する。次に、家庭用記録再生装置３０３は、第一再生部１０５がどの時点で再生を終了しているかを認識し（ステップＳ６０４）、ステップＳ６０７の動作に進む。
ステップＳ６０５において、家庭用記録再生装置３０３は、第２の再生情報を参照する。次に、家庭用記録再生装置３０３は、第二再生部１３５がどの時点で再生を終了しているか否かを認識し（ステップＳ６０６）、ステップＳ６０７の動作に進む。
ステップＳ６０７において、家庭用記録再生装置３０３は、ステップＳ６０４またはステップＳ６０６で認識した時点から記録されている番組を再生し、処理を終了する。
このように、本発明の第４の実施形態に係る記録再生システムは、運転者および同乗者が視聴していた番組の再生終了時点を、それぞれ再生情報に含ませて、それぞれの再生終了時点から家庭用記録再生装置に再生させることができる。したがって、運転者および同乗者は、それぞれ、自己が見ていた続きのシーンから、番組を再生させて、家庭で視聴することができる。
なお、家庭用記録再生装置における再生の開始はシームレス再生ボタン１またはシームレス再生ボタン２を押すこととしたが、これに限られるものではない。たとえば、操作メニューから再生の開始がユーザ毎に選ばれてもよい。
なお、本実施形態ではフロントディスプレイと後部座席用ディスプレイとの２台でテレビ番組を視聴するとしたが、これに限られるものではない。３台以上のディスプレイを用いて異なるユーザが視聴するとしてもよい。この場合、車載用記録再生装置は、伸長部、再生部をディスプレイの数と同数備え、再生情報には、それぞれの再生部がどのシーンまで再生したかを示す情報を含ませればよい。そして、家庭用記録再生装置側では同数のシームレス再生ボタンを備えるか、メニュー項目を設けて、ユーザ毎に、シーンの続きを再生すればよい。
なお、同乗者の再生終了点は車載用記録再生装置の記録終了点と同じになるとしたが、必ずしもこれに限られるものではない。風景を楽しみたいときなど、あるいは携帯電話で通話するなどの都合で一時停止する場合などは記録終了点より前のシーンが再生終了点となる。
（第５の実施形態）
第５の実施形態では、第４の実施形態と同様に複数のユーザが車内でテレビ番組を見る際に、それぞれが異なる番組を視聴する場合の記録再生システムについて説明する。
図１４は、本発明の第５の実施形態に係る記録再生システムの構成を示す図である。図１４において、記録再生システムは、車載用記録再生装置１４１と、車載用通信部３０１と、家庭用通信部３０２と、家庭用記録再生装置４０３とを備える。車載用記録再生装置１４１は、制御部１４６と、第二圧縮部１４２と、第一圧縮部１０２と、記録装置１０３と、伸長部（図示せず）と、再生部（図示せず）と、第二伸長部（図示せず）と、第二再生部（図示せず）とを含む。制御部は第２、第３の実施形態に係る制御部１２６や第４の実施形態に係る制御部１３６に相当し、第二圧縮部にも接続される。第一圧縮部は、第１の実施形態に係る圧縮部１０２と同様である。第二圧縮部１４２は第一圧縮部１０２と同様に、入力信号を受信して圧縮を行い、圧縮テレビデータを記録装置１０３へ出力する。他の構成は第４の実施形態に係る記録再生システムと同様のものである。家庭用記録再生装置４０３は、第２〜第４の実施形態の家庭用記録再生装置３０３に相当し、複数の異なるテレビ番組を同時に録画する機能を有する。
本実施形態における車載用記録再生装置１４１と家庭用記録再生装置４０３との動作は第２の実施形態で説明したものとほぼ同等であり、図７で示したフローチャートに従う。異なる点は、ステップＳ２０２において送信される記録情報の内容、およびステップＳ２０４において更新される再生情報の内容である。
ステップＳ２０２において送信される記録情報は、第一再生部で再生される番組に関する第１の記録情報と、第二再生部で再生される番組に関する第２の記録情報とを含む。記録情報を受信した家庭用記録再生装置４０３は、送信される記録情報に従って、第一再生部で再生される番組および第二再生部で再生される番組の２番組を同時に録画する。
ステップＳ２０６において送信される再生情報は、第４の実施形態と同様、第一再生部１０５においてどの番組をどのシーンまでを再生したかを示す第１の再生情報と、第二再生部１３５においてどの番組をどのシーンまでを再生したかを示す第２の再生情報とを含む。
図１５は、車載用記録再生装置１４１の記録状態、家庭用記録再生装置４０３での記録状態を模式的に示した図である。
以下、図１５を参照しながら、車載用記録再生装置１４１および家庭用記録再生装置３０３の動作を具体的に説明する。なお、バー内の表示は第一再生部で再生した番組と第二再生部で再生した番組とで同じ模様を用いているが、先にも述べたとおり第一再生部と第二再生部は異なる番組を再生しているため、車載用記録再生装置１４１と家庭用記録再生装置４０３とは２つの番組を同時に記録している。
ａ１点、ａ２点は図８のａ点に相当する。車載用記録再生装置１４１では、第一再生部、第二再生部において再生される番組をａ１点およびａ２点からそれぞれ開始する。本実施形態ではａ１点とａ２点は同時刻とする。
ｂ１点およびｂ２点は図８のｂ点に相当する。つまり、ｂ１点は第一再生部において再生を終了した点で、ｂ２点は第二再生部において再生を終了した点である。再生情報はｂ１点に関する第１の再生情報とｂ２点に関する第２の再生情報とを含むことになる。
ｃ１点およびｃ２点は図８のｃ点に相当する。これは車載用記録再生装置１４１が番組の記録を終了した点である。車載用記録再生装置の録画を停止する際に、第一再生部で再生している番組と第二再生部で再生している番組との放送がともに終了していない場合はｃ１点とｃ２点は一致する。
ｄ１点およびｄ２点は図８のｄ点に相当する。つまり、ｄ１点は第一再生部において再生していた番組の放送終了点、ｄ２点は第二再生部において再生していた番組の放送終了点である。家庭用記録再生装置４０３は、第一再生部で再生していた番組をｄ１点まで、第二再生部で再生していた番組をｄ２点まで録画を継続する。
車内で視聴していた番組の続きを見たい場合、ユーザは、その旨の指示を家庭用記録再生装置４０３に与える。家庭用記録再生装置４０３は、第一再生部で再生していた番組をｂ１点から、あるいは、第二再生部で再生していた番組をｂ２点から、再生を開始する。
なお、ａ〜ｄ点と同様に、ａ１〜ｄ１点およびａ２〜ｄ２点は、実際のアドレスポインタで示すのではなく、記録開始位置からどの程度進んでいるかを示す情報である。
本発明の第５の実施形態における家庭用記録再生装置４０３の再生情報を参照する再生動作は、基本的には第４の実施形態で説明した図１３のフローチャートに従う。ユーザによって、たとえば、リモコンにある「シームレス再生ボタン１」あるいは「シームレス再生ボタン２」が押されることによって、家庭用記録再生装置４０３は、動作を開始する。シームレス再生ボタン１が押された場合、家庭用記録再生装置４０３は、再生情報に含まれる第１の再生情報を参照して、第一再生部で再生していた番組と再生の終了時点とを認識し、その続きから再生を開始する。「シームレス再生ボタン２」が押された場合も同様に、家庭用記録再生装置４０３は、再生情報に含まれる第２の再生情報を参照して、第二再生部で再生していた番組と再生の終了時点とを認識し、その続きから再生を開始する。
このように、本発明の第５の実施形態に係る記録再生システムは、たとえば、運転者と同乗者がそれぞれ異なる番組を視聴していた場合でも、それぞれが車内で視聴したシーンの続きを家で視聴することができる。
なお、第１〜第５の実施形態では、チャンネルが切り替えられることを想定していなかったが、車内で番組を視聴中にチャンネルを切り替えた場合、車載用記録再生装置は切り替えた時点で再び記録情報を送信して、これに応じて、家庭用記録再生装置は録画する番組を切り替えるようにすればよい。この場合について、以下に詳しく説明する。
図１６は、運転者が視聴する（再生部で再生される）番組が切り替えられた場合の車載用記録再生装置および家庭用記録再生装置での記録状態を模式的に示した図である。図１６において、ｐ点は図１５のａ１点に相当し、運転者が番組の視聴を開始した時点である。ｑ点はチャンネルを切り替えた時点である。ｒ点は次の番組（チャンネル切り替え後の番組）の記録開始時点である。運転者は一時停止と再生を繰り返しながら視聴するため、放送シーンより前のシーンを視聴中にチャンネルを切り替えることになる。図１６の場合は、ｑ点を視聴しているときにチャンネルを切り替えたが、そのときチャンネル変更後の番組はｒ点のシーンを放送しており、次の番組はｒ点から記録されることになる。この場合、ｑ点からｒ点はチャンネル変更前の番組データで未再生の部分となる。車載用記録再生装置は、家庭用記録再生装置に対して、チャンネルが変更された時点（ｑ点）でチャンネル変更前の番組の記録を停止するように指示し、新たに記録情報を送信してチャンネル変更後の番組の記録を開始させる。
ｓ点は図１５のｂ１点に相当する。このｓ点の情報が、最終的な再生情報として車載用記録再生装置から家庭用記録再生装置に送信される情報である。
ｔ点は図１５のｃ１点に相当し、車載用記録再生装置において番組の記録が終了された時点である。ｕ点は図１５のｄ１点に相当し、チャンネル変更後の番組の放送が終了した時点である。家庭用記録再生装置はｕ点まで記録を継続する。
このように、チャンネルが変更された場合、車載用記録再生装置および家庭用記録再生装置は、それまで見ていた番組の記録を停止し、新しい番組の記録を開始するようにすればよい。
なお、車載用および／または家庭用記録再生装置が同時に複数のチャンネルの番組を録画できる機能を有している場合、車載用および／または家庭用記録再生装置は、チャンネル変更前の番組の記録を停止せずに継続してもよい。
また、同乗者が視聴する（第二再生部にて再生する）番組が切り替えられた場合も同様である。この場合は、図１６において、ｑ点とｒ点が同じ点になる可能性があり、また同様にｓ点とｔ点が同じ点になる可能性があるだけである。
また、チャンネルが切り替えられる前の番組に関するデータ（ｐ点〜ｒ点）は、ユーザがチャンネルを替えたということは、その番組の視聴をユーザが求めなかったと判断できるため、チャンネルが切り替えられた時点で消去するとしてもよい。あるいは、未再生の部分（ｑ点〜ｒ点）は消去せずに保存しておくとしてもよい。
なお、図１５においてａ１点とａ２点は同時刻としたが、これに限られたものではない。異なる時刻としてもよい。この場合、それぞれの時刻で記録情報を家庭用記録再生装置に送信すればよい。
なお、第５の実施形態においても、第４の実施形態の場合と同様、３台以上のディスプレイにて異なるユーザが視聴するとしてもよい。
【産業上の利用可能性】  以上のように、本発明に係る車載用記録再生装置、記録再生装置、記録再生システムおよび記録再生方法は、自機器で視聴していたデータの続きをシーンが途切れることなく外部機器で視聴したり、外部機器で視聴していたデータの続きをシーンが途切れることなく自機器で視聴することが可能となる、という効果を有し、車と家との間でとぎれのない再生を実現するための記録再生装置、記録再生システム、および記録再生方法等として有用である。
【図１】
2004084222.tif 000003
【図２】
2004084222.tif 000004
【図３】
2004084222.tif 000005
【図４】
2004084222.tif 000006
【図５】
2004084222.tif 000007
【図６】
2004084222.tif 000008
【図７】
2004084222.tif 000009
【図８】
2004084222.tif 000010
【図９】
2004084222.tif 000011
【図１０】
2004084222.tif 000012
【図１１】
2004084222.tif 000013
【図１２】
2004084222.tif 000014
【図１３】
2004084222.tif 000015
【図１４】
2004084222.tif 000016
【図１５】
2004084222.tif 000017
【図１６】
2004084222.tif 000018
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
同一の信号が入力される相互に通信が可能な車載用記録再生装置および記録再生装置を備える記録再生システムであって、
前記車載用記録再生装置は、車に設置されており、
前記記録再生装置は、前記車の外部に設置されており、
前記車載用記録再生装置は、
データの記録および記録した前記データの読み出しが可能な第１の記録装置と、
前記第１の記録装置に記録された前記データを読み出して再生する再生手段と、
自機器内で前記データの記録を開始する際、前記記録再生装置に対して、自機器内で記録を開始した前記データに関する記録情報を送信する記録情報送信手段と、
再生を停止した時点を示す再生情報を前記記録再生装置に送信する再生情報送信手段とを含み、
前記記録再生装置は、
前記車載用記録再生装置から送信されてくる前記記録情報に基づいて、前記車載用記録再生装置で記録されるデータと同一のデータを記録する第２の記録装置と、
前記車載用記録再生装置からの前記再生情報に基づいて、前記車載用記録再生装置で再生停止された位置から再生を開始する再生開始手段とを含む、記録再生システム。
【請求項２】
前記車載用記録再生装置は、さらに、前記記録再生装置での記録開始位置を認識し、前記車載用記録再生装置で未再生かつ前記記録再生装置で記録されていないデータを、前記記録再生装置に送信する未記録データ送信手段を含む、請求項１に記載の記録再生システム。
【請求項３】
前記車載用記録再生装置は、さらに、前記記録情報を送信した後、記録開始時から所定期間内に記録されているデータを、前記記録再生装置に送信するデータ送信手段を含み、
前記記録再生装置は、さらに、前記データ送信手段によって送信されてくる前記データを、自機器内で記録済みのデータと連続的につながるように記録するデータ受信記録手段を含む、請求項１に記載の記録再生システム。
【請求項４】
車内に設置されており、入力信号に基づくデータを記録および再生する車載用記録再生装置であって、
前記データの記録および記録した前記データの読み出しが可能な記録装置と、
前記記録装置に記録された前記データを読み出して再生する再生手段と、
自機器内で前記データの記録を開始する際、外部の記録再生装置に対して、自機器内で記録を開始した前記データに関する記録情報を送信する記録情報送信手段と、
再生を停止した位置を示す再生情報を前記記録再生装置に送信する再生情報送信手段とを含む、車載用記録再生装置。
【請求項５】
前記再生情報送信手段は、車両の電源がオフになる前に、前記再生情報を送信することを特徴とする、請求項４に記載の車載用記録再生装置。
【請求項６】
前記再生情報送信手段は、再生が停止する毎に、前記再生情報を送信することを特徴とする、請求項４に記載の車載用記録再生装置。
【請求項７】
さらに、前記記録再生装置での記録開始位置を認識し、前記車載用記録再生装置で未再生かつ前記記録再生装置で記録されていないデータを、前記記録再生装置に送信する未記録データ送信手段を含む、請求項４に記載の車載用記録再生装置。
【請求項８】
さらに、前記記録情報送信手段、前記再生情報送信手段および前記未記録データ送信手段の少なくとも１つを動作させるための専用ボタンを含む、請求項４に記載の車載用記録再生装置。
【請求項９】
前記車載用記録再生装置を操作するための操作画面には、前記記録情報送信手段、前記再生情報送信手段および前記未記録データ送信手段の少なくとも１つを動作させるための専用メニューが表示されることを特徴とする、請求項４に記載の車載用記録再生装置。
【請求項１０】
車内に設置された車載用記録再生装置と通信可能であり、入力信号に基づくデータを記録および再生する記録再生装置であって、
前記車載用記録再生装置から送信された前記データに関する記録情報を受信し、前記記録情報に基づいて前記データを記録する記録手段と、
前記車載用記録再生装置から送信された再生を停止した位置を示す再生情報を受信し、前記再生情報に基づいて前記データの再生を開始する再生開始手段とを含む、記録再生装置。
【請求項１１】
前記再生開始手段は、前記再生情報に含まれた再生位置より所定期間だけ前の位置から再生を開始することを特徴とする、請求項１０に記載の記録再生装置。
【請求項１２】
さらに、前記再生開始手段を動作させるための専用ボタンを含む、請求項１０に記載の記録再生装置。
【請求項１３】
前記記録再生装置を操作するための操作画面には、前記再生開始手段を動作させるための専用メニューが表示されることを特徴とする、請求項１０に記載の記録再生装置。
【請求項１４】
さらに、受信した前記再生情報に示される位置より前のデータを削除する削除手段を含む、請求項１０に記載の記録再生装置。
【請求項１５】
さらに、自機器の記録開始位置より前のデータを前記車載用記録再生装置から受信し、自機器が記録済みのデータと連続的につながるように記録するデータ受信記録手段を含む、請求項１０に記載の記録再生装置。
【請求項１６】
同一の信号が入力される相互に通信が可能な車載用記録再生装置および記録再生装置を備えるシステムおいて、前記車載用記録再生装置で再生されていたデータの続きを前記記録再生装置で再生するための方法であって、
前記車載用記録再生装置が前記データの記録を開始する際、前記車載用記録再生装置が、前記記録再生装置に対して、同一のデータを記録させるための記録情報を送信するステップと、
前記車載用記録再生装置からの記録情報に応じて、前記車載用記録再生装置で記録されるデータと同一のデータの記録を前記記録再生装置が開始するステップと、
前記車載用記録再生装置が、前記記録再生装置に対して、前記車載用記録再生装置が再生を停止した位置を示す再生情報を送信するステップと、
前記車載用記録再生装置からの再生情報に応じて、前記記録再生装置が再生を行うステップとを含む、記録再生方法。
【手続補正２】
【補正対象書類名】明細書
【補正対象項目名】全文
【補正方法】変更
【補正の内容】
【発明の詳細な説明】
【技術分野】
【０００１】
本発明は、信号の記録再生装置に関し、より特定的には、車室内や車と家との間でとぎれのない再生を実現するための記録再生装置、記録再生システム、および記録再生方法に関する。
【背景技術】
【０００２】
安全運転を図るため、既存の車載テレビシステムにおいて、ユーザは、運転中に映像を見ることができない。したがって、車内でテレビ番組を見たい場合、ユーザは、車を停止させなければならなかった。
【０００３】
特許文献１には、運転中に見ることができなかったテレビ番組を車内で見ることができる車載情報処理装置が提案されている。当該車載情報処理装置は、ハードディスクを搭載しており、走行中には、所望のテレビ番組を録画する。当該車載情報処理装置は、車両の停止時に、録画を継続するか否かを判断する。録画を継続せずに再生すべきと判断した場合、当該車載情報処理装置は、運転中に録画したテレビ番組を再生する。これにより、ユーザは、運転中に見ることができなかったテレビ番組を見ることが可能となる。
【０００４】
特許文献２には、記録と再生とを同時に行うことができる記録再生装置が提案されている。このように記録と再生とを同時に行う機能は、「追いかけ再生」機能と呼ばれており、ハードディスクレコーダやＤＶＤ−ＲＡＭレコーダ等で実現されている。
【特許文献１】特許第３２５４９４６号公報、第２−４頁、第１図
【特許文献２】特許第３２４９８４５号公報、第２−４頁、第１図
【発明の開示】
【発明が解決しようとする課題】
【０００５】
しかし、特許文献１に記載の車載情報処理装置は、運転中に録画した映像を、停止中に再生することができる、すなわちタイムシフト再生を実現しているものの、番組全てを視聴しようとしたときには、たとえ目的地に到着したとしても車内で視聴しなければならなかった。
【０００６】
また、ユーザは、家庭内のビデオレコーダやＤＶＤレコーダ等で予約録画しておき、外出中に、特許文献１に記載の車載情報処理装置を用いて車内で途中まで見た番組の続きを帰宅後家で視聴する場合、家庭用のビデオレコーダ等に録画されている番組の内既に見たシーンを早送りする必要があった。
【０００７】
また、ユーザは、何気なく車内で見ていた番組を家で最後まで見たくなった場合、タイマー録画予約をしていないのであれば、車を降りてテレビの前に辿り着いてから初めて続きを見ることができる。この場合、ユーザは、車からテレビの前に移動するまでの間に放送されたシーンを見逃してしまうこととなる。
【０００８】
同様に、家で見ていたテレビ番組を車内で見たい場合、家から車に移動するまでの間に放送されたシーンを見逃してしまうこととなる。
【０００９】
これらの問題点を解決するための方法は、特許文献１および特許文献２には記載されていない。
【００１０】
それゆえ、本発明の目的は、車内で見ていた番組の続きをシーンが途切れることなく家で見ることができる記録再生装置、記録再生方法、および記録再生システムを提供することである。
【００１１】
さらに、本発明の他の目的は、家で見ていた番組の続きをシーンが途切れることなく車内で見ることができる記録再生装置、記録再生方法、および記録再生システムを提供することである。
【課題を解決するための手段】
【００１２】
上記課題を解決するために、本発明は、以下の特徴を有する。
【００１３】
本発明の第１の局面は、同一の信号が入力される相互に通信が可能な車載用記録再生装置および記録再生装置を備える記録再生システムであって、車載用記録再生装置は、車に設置されており、記録再生装置は、車の外部に設置されており、車載用記録再生装置は、データの記録および記録したデータの読み出しが可能な第１の記録装置と、第１の記録装置に記録されたデータを読み出して再生する再生手段と、自機器内でデータの記録を開始する際、記録再生装置に対して、自機器内で記録を開始したデータに関する記録情報を送信する記録情報送信手段と、再生を停止した時点を示す再生情報を記録再生装置に送信する再生情報送信手段とを含み、記録再生装置は、車載用記録再生装置から送信されてくる記録情報に基づいて、車載用記録再生装置で記録されるデータと同一のデータを記録する第２の記録装置と、車載用記録再生装置からの再生情報に基づいて、車載用記録再生装置で再生停止された位置から再生を開始する再生開始手段とを含む。
【００１４】
これにより、記録再生装置と車載用記録再生装置とで同一のデータが記録される。加えて、車載用記録再生装置での再生が停止した場合、停止したときの情報を示す再生情報が記録再生装置に送られ、停止した位置から、記録装置が記録しているデータを再生することができる。したがって、たとえば、記録再生装置を家庭に設置していた場合、車内で視聴したデータの続きを家庭で視聴することができる。
【００１５】
好ましくは、車載用記録再生装置は、さらに、記録再生装置での記録開始位置を認識し、車載用記録再生装置で未再生かつ記録再生装置で記録されていないデータを、記録再生装置に送信する未記録データ送信手段を含むとよい。
【００１６】
これにより、通信の時間差が原因で、記録再生装置が記録しなかったデータであっても、記録再生装置に格納させることができる。
【００１７】
好ましくは、車載用記録再生装置は、さらに、記録情報を送信した後、記録開始時から所定期間内に記録されているデータを、記録再生装置に送信するデータ送信手段を含み、記録再生装置は、さらに、データ送信手段によって送信されてくるデータを、自機器内で記録済みのデータと連続的につながるように記録するデータ受信記録手段を含むとよい。
【００１８】
これにより、通信の時間差によって一部のデータが格納されないといった事態を防止できる。
【００１９】
本発明の第２の局面は、車内に設置されており、入力信号に基づくデータを記録および再生する車載用記録再生装置であって、データの記録および記録したデータの読み出しが可能な記録装置と、記録装置に記録されたデータを読み出して再生する再生手段と、自機器内でデータの記録を開始する際、外部の記録再生装置に対して、自機器内で記録を開始したデータに関する記録情報を送信する記録情報送信手段と、再生を停止した位置を示す再生情報を記録再生装置に送信する再生情報送信手段とを含む。
【００２０】
これにより、外部の記録再生装置に対して、車載用記録再生装置で記録したデータと同一のデータを記録させることができ、車載用記録再生装置で視聴したデータの続きを外部の記録再生装置で視聴することができる。
【００２１】
好ましくは、再生情報送信手段は、車両の電源がオフになる前に、再生情報を送信するとよい。
【００２２】
これにより、外部の記録再生装置に対して、車内での最終的な再生情報を確実に送信することができる。
【００２３】
好ましくは、再生情報送信手段は、再生が停止する毎に、再生情報を送信するとよい。
【００２４】
これにより、最新の再生情報を外部の記録再生装置に送信することができる。
【００２５】
好ましくは、さらに、記録再生装置での記録開始位置を認識し、車載用記録再生装置で未再生かつ記録再生装置で記録されていないデータを、記録再生装置に送信する未記録データ送信手段を含むとよい。
【００２６】
これにより、通信の時間差が原因で外部の記録再生装置が記録しなかったデータであっても、外部の記録再生装置に格納させることができる。
【００２７】
好ましくは、さらに、記録情報送信手段、再生情報送信手段および未記録データ送信手段の少なくとも１つを動作させるための専用ボタンを含むとよい。
【００２８】
これにより、ユーザはより簡単に記録情報の送信、再生情報の送信、外部の記録再生装置が未記録のデータの送信を行うことができる。
【００２９】
好ましくは、車載用記録再生装置を操作するための操作画面には、記録情報送信手段、再生情報送信手段および未記録データ送信手段の少なくとも１つを動作させるための専用メニューが表示されるとよい。
【００３０】
これにより、ユーザはより簡単に記録情報の送信、再生情報の送信、外部の記録再生装置が未記録のデータの送信を行うことができる。
【００３１】
本発明の第３の局面は、車内に設置された車載用記録再生装置と通信可能であり、入力信号に基づくデータを記録および再生する記録再生装置であって、車載用記録再生装置から送信されたデータに関する記録情報を受信し、記録情報に基づいてデータを記録する記録手段と、車載用記録再生装置から送信された再生を停止した位置を示す再生情報を受信し、再生情報に基づいてデータの再生を開始する再生開始手段とを含む。
【００３２】
これにより、ユーザは、車載用記録再生装置で視聴していたデータの続きを記録再生装置を用いて視聴することが可能となる。
【００３３】
好ましくは、再生開始手段は、再生情報に含まれた再生位置より所定期間だけ前の位置から再生を開始するとよい。
【００３４】
これにより、ユーザは、車載記録装置で視聴していたデータの続きを視聴するにあたり、それまでどのような内容であったのかを確認することができる。
【００３５】
好ましくは、さらに、再生開始手段を動作させるための専用ボタンを含むとよい。
【００３６】
これにより、ユーザは簡単に車載用記録再生装置で視聴していたデータの続きを記録再生装置を用いて視聴することが可能となる。
【００３７】
好ましくは、記録再生装置を操作するための操作画面には、再生開始手段を動作させるための専用メニューが表示されるとよい。
【００３８】
これにより、ユーザは簡単に車載用記録再生装置で視聴していたデータの続きを記録再生装置を用いて視聴することが可能となる。
【００３９】
好ましくは、さらに、受信した再生情報に示される位置より前のデータを削除する削除手段を含むとよい。
【００４０】
これにより、既に車載用記録再生装置で視聴されたデータを削除することとなるので、記録領域の有効活用を図ることができる。
【００４１】
好ましくは、さらに、自機器の記録開始位置より前のデータを車載用記録再生装置から受信し、自機器が記録済みのデータと連続的につながるように記録するデータ受信記録手段を含むとよい。
【００４２】
これにより、通信の時間差によって一部のデータが格納されないといった事態を防止できる。
【００４３】
本発明の第４の局面は、同一の信号が入力される相互に通信が可能な車載用記録再生装置および記録再生装置を備えるシステムおいて、車載用記録再生装置で再生されていたデータの続きを記録再生装置で再生するための方法であって、車載用記録再生装置がデータの記録を開始する際、車載用記録再生装置が、記録再生装置に対して、同一のデータを記録させるための記録情報を送信するステップと、車載用記録再生装置からの記録情報に応じて、車載用記録再生装置で記録されるデータと同一のデータの記録を記録再生装置が開始するステップと、車載用記録再生装置が、記録再生装置に対して、車載用記録再生装置が再生を停止した位置を示す再生情報を送信するステップと、車載用記録再生装置からの再生情報に応じて、記録再生装置が再生を行うステップとを含む。
【００４４】
本発明の第５の局面は、同一の信号が入力される相互に通信が可能な記録再生装置および車載用記録再生装置を備えるシステムであって、記録再生装置は、再生を停止した場合、車載用記録再生装置に対する記録開始命令を周期的に送信する記録開始命令送信手段と、再生を停止した時点から、再生を停止したデータの記録を開始する再生停止データ記録手段とを含み、車載用記録再生装置は、記録開始命令を受信したら、指示されているデータの記録を開始すると共に、受信した旨および当該データの記録を開始した時点についてのＡＣＫ記録情報を記録再生装置に返信するＡＣＫ記録情報返信手段を含み、記録再生装置は、さらに、車載用記録再生装置からのＡＣＫ記録情報を受信した場合、当該ＡＣＫ記録情報で指定されているデータの記録を開始した時点までのデータを車載用記録再生装置に送信する未記録データ送信手段を含み、車載用記録再生装置は、さらに、記録再生装置が記録を開始した時点からデータを再生する再生開始手段を含む。
【００４５】
これにより、記録再生装置で再生が停止した時点以降のデータが車載用記録再生装置で記録されることとなるので、ユーザは、記録再生装置で視聴していたデータの続きを車載用記録再生装置で視聴することができる。
【００４６】
好ましくは、車載用記録再生装置は、さらに、記録再生装置が記録を開始した時点から車載用記録再生装置が記録を開始した時点までのデータの送信要求を記録再生装置に対して送信するデータ送信要求手段を含むとよい。
【００４７】
これにより、記録再生装置で再生が停止された位置から車載用記録再生装置で再生が開始されるまでのデータが転送されることとなるので、ユーザは、記録再生装置で視聴していたデータの続きを途切れることなく車内で視聴することができる。
【００４８】
本発明の第６の局面は、車内に設置された車載用記録再生装置と通信可能であり、入力信号に基づくデータを記録および再生する記録再生装置であって、再生を停止した場合、車載用記録再生装置に対する記録開始命令を周期的に送信する記録開始命令送信手段と、再生を停止した時点から、再生を停止したデータの記録を開始する再生停止データ記録手段と、車載用記録再生装置から、記録開始命令を受信した旨および車載用記録再生装置が当該データの記録を開始した時点についてのＡＣＫ記録情報を受信するＡＣＫ記録情報受信手段と、ＡＣＫ記録情報で指定されているデータの記録を開始した時点までのデータを車載用記録再生装置に送信する未記録データ送信手段とを含む。
【００４９】
これにより、記録再生装置で再生していたデータの続きを車載用記録再生装置で視聴することが可能となる。
【００５０】
好ましくは、さらに、記録開始命令送信手段、再生停止データ記録手段および未記録データ送信手段の少なくとも１つを動作させるための専用ボタンを含むとよい。
【００５１】
これにより、ユーザはより簡単に、記録開始命令の送信、再生停止後のデータ記録、外部機器が未記録のデータ送信を行うことができる。
【００５２】
好ましくは、記録開始命令送信手段、再生停止データ記録手段および未記録データ送信手段の少なくとも１つは、記録再生装置が再生を停止したことにより自動的に動作するとよい。
【００５３】
これにより、ユーザはより簡単に、記録開始命令の送信、再生停止後のデータ記録、外部機器が未記録のデータ送信を行うことができる。
【００５４】
本発明の第７の局面は、車内に設置されており、入力信号に基づくデータを記録および再生する車載用記録再生装置であって、外部の記録再生装置から記録開始命令を受信したら、指示されているデータの記録を開始すると共に、受信した旨および当該データの記録を開始した時点についてのＡＣＫ記録情報を記録再生装置に送信するＡＣＫ記録情報返信手段と、記録再生装置から送信された、記録再生装置が記録を開始した時点から車載用記録再生装置が記録を開始した時点までのデータを、受信し記録するデータ受信記録手段と、データ受信記録手段が受信して記録したデータを先頭から再生する再生開始手段とを含む。
【００５５】
これにより、ユーザは、外部の記録再生装置で視聴していたデータの続きを車内で視聴することができる。
【００５６】
好ましくは、さらに、データ受信記録手段が受信するデータの送信要求を記録再生装置に対して送信するデータ送信要求手段を含むとよい。
【００５７】
これにより、ユーザは、外部機器で視聴していたデータの続きを車内で視聴することができる。
【００５８】
好ましくは、さらに、再生開始手段を動作させるための専用ボタンを含むとよい。
【００５９】
これにより、ユーザは簡単に外部機器で視聴していたデータの続きを車内で視聴することが可能となる。
【００６０】
好ましくは、車載用記録再生装置を操作するための操作画面には、再生開始手段を動作させるための専用メニューが表示されるとよい。
【００６１】
これにより、ユーザは簡単に外部機器で視聴していたデータの続きを車内で視聴することができる。
【００６２】
本発明の第８の局面は、同一の信号が入力される相互に通信が可能な車載用記録再生装置および記録再生装置を備える記録再生システムであって、車載用記録再生装置は、車に設置されており、記録再生装置は、車の外部に設置されており、車載用記録再生装置は、データの記録および記録したデータの読み出しが可能な第１の記録装置と、第１の記録装置に記録されたデータをそれぞれ独立に読み出して再生する第１および第２の再生手段と、自機器内でデータの記録を開始する際、記録再生装置に対して、自機器内で記録を開始したデータに関する記録情報を送信する記録情報送信手段と、第１および第２の再生手段で再生を停止した時点を示す第１および第２の再生情報を記録再生装置に送信する再生情報送信手段とを含み、記録再生装置は、車載用記録再生装置から送信されてくる記録情報に基づいて、車載用記録再生装置で記録されているデータと同一のデータを記録する第２の記録装置と、車載用記録再生装置からの第１または第２の再生情報に基づいて、車載用記録再生装置の第１または第２の再生手段で再生が停止された位置から再生を開始する再生開始手段とを含む。
【００６３】
これにより、第１および第２の再生手段のいずれで視聴していた続きも、記録再生装置で視聴することができる。したがって、車内で異なるディスプレイで番組を視聴していた場合にも、それぞれの続きを外部の記録再生装置で視聴することができる。
【００６４】
好ましくは、第１の記録装置は、第１および第２の再生手段で再生するためのある一つの番組を記録し、第１および第２の再生手段では、第１の記録装置に記録される番組をそれぞれ独立して再生し、記録情報送信手段は、第１の記録装置で記録される番組に関する情報を記録情報として送信し、第２の記録装置は、車載用記録再生装置から送信されてくる記録情報に基づいて、番組を記録し、再生開始手段は、車載用記録再生装置からの第１または第２の再生情報に基づいて、車載用記録再生装置の第１または第２の再生手段で再生が停止された位置から番組の再生を開始するとよい。
【００６５】
これにより、同一番組を第１および第２の再生手段で再生していた場合、第１および第２の再生手段のいずれで視聴していた続きも、記録再生装置で視聴することができる。
【００６６】
好ましくは、第１の記録装置は、第１および第２の再生手段で再生するための相異なる二つの番組を記録し、第１および第２の再生手段は、第１の記録装置に記録される二つの番組をそれぞれ独立して再生し、記録情報送信手段は、第１の記録装置で記録される二つの番組に関する情報を記録情報として送信し、第２の記録装置は、車載用記録再生装置から送信されてくる記録情報に基づいて、二つの番組を記録し、再生開始手段は、車載用記録再生装置からの第１または第２の再生情報に基づいて、車載用記録再生装置の第１または第２の再生手段で再生が停止された位置から、第１または第２の再生手段で再生されていた番組の再生を開始するとよい。
【００６７】
これにより、相異なる番組を第１および第２の再生手段で再生していた場合、第１および第２の再生手段のいずれで視聴していた続きも、記録再生装置で視聴することができる。
【００６８】
本発明の第９の局面は、車内に設置されており、入力信号に基づくデータを記録および再生する車載用記録再生装置であって、データの記録および記録したデータの読み出しが可能な第１の記録装置と、第１の記録装置に記録されたデータをそれぞれ独立に読み出して再生する第１および第２の再生手段と、自機器内でデータの記録を開始する際、外部の記録再生装置に対して、自機器内で記録を開始したデータに関する記録情報を送信する記録情報送信手段と、第１および第２の再生手段で再生を停止した時点を示す第１および第２の再生情報を記録再生装置に送信する再生情報送信手段とを含む。
【００６９】
これにより、第１および第２の再生手段のいずれで視聴していた続きも、記録再生装置で視聴することができる。
【００７０】
好ましくは、第１の記録装置は、第１および第２の再生手段で再生するためのある一つの番組を記録し、第１および第２の再生手段では、第１の記録装置に記録される番組をそれぞれ独立して再生し、記録情報送信手段は、第１の記録装置で記録される番組に関する情報を記録情報として送信するとよい。
【００７１】
これにより、同一番組を第１および第２の再生手段で再生していた場合、第１および第２の再生手段のいずれで視聴していた続きも、記録再生装置で視聴することができる。
【００７２】
好ましくは、第１の記録装置は、第１および第２の再生手段で再生するための相異なる二つの番組を記録し、第１および第２の再生手段は、第１の記録装置に記録される二つの番組をそれぞれ独立して再生し、記録情報送信手段は、第１の記録装置で記録される二つの番組に関する情報を記録情報として送信するとよい。
【００７３】
これにより、相異なる番組を第１および第２の再生手段で再生していた場合、第１および第２の再生手段のいずれで視聴していた続きも、記録再生装置で視聴することができる。
【００７４】
好ましくは、さらに、記録情報送信手段および再生情報送信手段の少なくとも１つを動作させるための専用ボタンを含むとよい。
【００７５】
これにより、ユーザはより簡単に記録情報の送信、再生情報の送信を行うことができる。
【００７６】
好ましくは、車載用記録再生装置を操作するための操作画面には、記録情報送信手段および再生情報送信手段の少なくとも１つを動作させるための専用メニューが表示されるとよい。
【００７７】
これにより、ユーザはより簡単に記録情報の送信、再生情報の送信を行うことができる。
【００７８】
本発明の第１０の局面は、車内に設置された車載用記録再生装置と通信可能であり、入力信号に基づくデータを記録および再生する記録再生装置であって、車載用記録再生装置から送信されてくる記録情報に基づいて、車載用記録再生装置で記録されているデータと同一のデータを記録する記録装置と、車載用記録再生装置からの第１または第２の再生情報に基づいて、車載用記録再生装置の第１または第２の再生手段で再生が停止された位置から再生を開始する再生開始手段とを含む。
【００７９】
これにより、車載用記録再生装置で異なるディスプレイで番組を視聴していた場合にも、それぞれの続きを記録再生装置で視聴することができる。
【００８０】
好ましくは、記録装置は、記録情報で指定されている一つの番組を記録し、再生開始手段は、車載用記録再生装置からの第１または第２の再生情報に基づいて、車載用記録再生装置の第１または第２の再生手段で再生が停止された位置から番組の再生を開始するとよい。
【００８１】
これにより、車載用記録再生装置で異なるディスプレイで同一の番組を視聴していた場合にも、それぞれの続きを記録再生装置で視聴することができる。
【００８２】
好ましくは、記録装置は、記録情報で指定されている相異なる二つの番組を記録し、再生開始手段は、車載用記録再生装置からの第１または第２の再生情報に基づいて、車載用記録再生装置の第１または第２の再生手段で再生が停止された位置から、第１または第２の再生手段で再生されていた番組の再生を開始するとよい。
【００８３】
これにより、車載用記録再生装置で異なるディスプレイで相異なる番組を視聴していた場合にも、それぞれの続きを記録再生装置で視聴することができる。
【００８４】
好ましくは、さらに、再生開始手段を動作させるための専用ボタンを含むとよい。
【００８５】
これにより、ユーザはより簡単に車載用記録再生装置で視聴した番組の続きを記録再生装置を用いて視聴することができる。
【００８６】
好ましくは、記録再生装置を操作するための操作画面には、再生開始手段を動作させるための専用メニューが表示されるとよい。
【００８７】
これにより、ユーザはより簡単に車載用記録再生装置で視聴した番組の続きを記録再生装置を用いて視聴することができる。
【００８８】
本発明の第１１の局面は、同一の信号が入力される相互に通信が可能な記録再生装置および車載用記録再生装置を備えるシステムにおいて、記録再生装置で再生していたデータの続きを車載用記録再生装置で再生するための方法であって、記録再生装置が再生を停止した場合、車載用記録再生装置に対する記録開始命令を周期的に記録再生装置が送信するステップと、記録再生装置が再生を停止した時点から、再生を停止したデータの記録を記録再生装置が開始するステップと、記録開始命令を受信したら、車載用記録再生装置が、指示されているデータの記録を開始すると共に、受信した旨および当該データの記録を開始した時点についてのＡＣＫ記録情報を記録再生装置に返信するステップと、車載用記録再生装置からのＡＣＫ記録情報を受信した場合、当該ＡＣＫ記録情報で指定されている記録開始時点までのデータを記録再生装置が車載用記録再生装置に送信するステップと、車載用記録再生装置が記録再生装置から送られてくるデータを受信して、受信したデータの先頭から再生するステップとを含む。
【００８９】
本発明の第１２の局面は、同一の信号が入力される相互に通信が可能な車載用記録再生装置および記録再生装置を備える記録再生システムにおいて、車載用記録再生装置で再生されたデータの続きをい記録再生装置で再生するための方法であって、車載用記録再生装置は、記録したデータをそれぞれ独立して第１および第２の再生手段で再生可能であって、自機器内で番組の記録を開始する際、車載用記録再生装置が、記録再生装置に対して、自機器内で記録を開始したデータに関する記録情報を送信するステップと、第１および第２の再生手段で再生を停止した時点を示す第１および第２の再生情報を、車載用記録再生装置が記録再生装置に送信するステップと、車載用記録再生装置から送信されてくる記録情報に基づいて、車載用記録再生装置で記録されているデータと同一のデータを記録再生装置が記録するステップと、車載用記録再生装置からの第１または第２の再生情報に基づいて、車載用記録再生装置の第１または第２の再生手段で再生が停止された位置から記録再生装置が再生を開始するステップとを備える。
【００９０】
好ましくは、車載用記録再生装置は、第１および第２の再生手段で再生するためのある一つの番組を記録し、記録情報を送信するステップでは、番組に関する情報を車載用記録再生装置が記録情報として送信し、記録再生装置が記録するステップでは、車載用記録再生装置から送信されてくる記録情報に基づいて、番組を記録再生装置が記録し、再生を開始するステップでは、車載用記録再生装置からの第１または第２の再生情報に基づいて、車載用記録再生装置の第１または第２の再生手段で再生が停止された位置から、記録再生装置が番組の再生を開始するとよい。
【００９１】
好ましくは、車載用記録再生装置は、第１および第２の再生手段で再生するための相異なる二つの番組を記録し、記録情報を送信するステップでは、二つの番組に関する情報を記録情報として送信し、記録再生装置が記録するステップでは、車載用記録再生装置から送信されてくる記録情報に基づいて、二つの番組を記録し、再生を開始するステップでは、車載用記録再生装置からの第１または第２の再生情報に基づいて、車載用記録再生装置の第１または第２の再生手段で再生が停止された位置から、第１または第２の再生手段で再生されていた番組の再生を記録再生装置が開始するとよい。
【００９２】
このように、本発明の車載用記録再生装置、記録再生装置、記録再生システムおよび記録再生方法によれば、自機器で視聴していたデータの続きをシーンが途切れることなく外部機器で視聴したり、外部機器で視聴していたデータの続きをシーンが途切れることなく自機器で視聴することが可能となる。
【００９３】
本発明の第１３の局面は、入力信号に基づくデータを記録および再生する車載用記録再生装置であって、ランダムアクセス可能な記録媒体を用いており、データを記録媒体へ書き込みながら、書き込まれたデータを記録媒体から読み出す記録装置と、記録装置によって読み出されたデータを再生する再生部と、データの再生を制御する制御部とを備え、制御部は、外部から与えられる車両の走行状態に関する情報に基づいて、ユーザによる車内での視聴を許可するか否かを判断する視聴許可判断手段と、視聴許可判断手段によって視聴不許可であると判断された場合、記録装置によるデータの読み出しを一時停止させる一時停止手段と、視聴許可判断手段によって視聴許可であると判断された場合、一時停止されている時点から、データを記録装置に読み出させ、再生部に再生させる再生開始手段とを含む。
【００９４】
これにより、車載用記録再生装置は、外部から与えられる車両の走行状態に関する情報に基づいて車内での視聴が許可されるか否かを自動的に判断する。視聴を許可しないと判断した場合、車載用記録再生装置は、再生を一時停止する。一方、視聴を許可すると判断した場合、車載用記録再生装置は、一時停止されている時点から再生を開始する。したがって、車の運転中のように、常時連続的に視聴が許可されないような状況にあっても、ユーザは、断続的ではあるが、データの内容を途切れることなる視聴することが可能となる。たとえば、入力信号がテレビ信号である場合、ユーザは、テレビ番組のシーンを途切れることなく断続的に視聴することができる。
【００９５】
好ましくは、制御部は、記録装置に書き込まれるデータから特定のシーンを抽出し、当該特定のシーンを優先して、再生部に再生させるとよい。
【００９６】
これにより、特定のシーンが優先的に再生されることとなるので、再生に必要な時間を短縮しながらも、データの視聴を楽しむことが可能となる。
【００９７】
たとえば、制御部は、入力信号に含まれる映像信号および／または音声信号に基づいて、特定のシーンを決定するとよい。
【００９８】
これにより、盛り上がったシーンのみを再生したり、ＣＭをカットして再生したりすることが可能となるので、再生に必要な時間を短縮しながら、データの視聴を楽しむことが可能となる。
【発明の効果】
【００９９】
本発明によれば、車内で見ていた番組の続きをシーンが途切れることなく家で見ることができる。
【発明を実施するための最良の形態】
【０１００】
以下、本発明の実施の形態の車載用記録再生装置、記録再生装置、記録再生システムについて、図面を用いて説明する。
【０１０１】
（第１の実施形態）
図１は、本発明の第１の実施形態に係る車載用記録再生装置１０１の構成を示す機能ブロック図である。第１の実施形態は、車内でテレビ番組を視聴する場合に、シーンが途切れることなくテレビ番組を視聴できる記録再生装置を提供する。
【０１０２】
図１において、車載用記録再生装置１０１は、圧縮部１０２と、記録装置１０３と、伸長部１０４と、再生部１０５と、制御部１０６とを含む。
【０１０３】
圧縮部１０２は、入力信号を圧縮して、データ量が削減された信号を生成し、記録装置１０３に入力する。本実施形態において、入力信号は、テレビ放送用の信号（以下、テレビ信号という）であるとする。テレビ信号は、映像信号と音声信号とを含むものとする。
【０１０４】
記録装置１０３は、圧縮部１０２によって生成された圧縮データを保存する。記録装置１０３は、たとえば、ハードディスクドライブ等、書き込みと読み出しとが同時に可能な記録装置である。ハードディスクのようなランダムアクセスが可能な記録媒体を用いれば、書き込み処理と読み出し処理とを高速に切り替えることによって、録画しながら再生することができる記録装置を提供することが可能となる。このような記録装置は、既に製品化されており、ここでは、これ以上の説明を省略する。
【０１０５】
伸長部１０４は、記録装置１０３から圧縮データを読み出し、読み出した圧縮データを伸長してテレビ信号を生成する。
【０１０６】
再生部１０５は、伸長部１０４によって生成されたテレビ信号を再生して表示する。たとえば、再生部１０５は、映像信号を液晶ディスプレイに表示し、音声信号を増幅器で増幅してスピーカから出力する。
【０１０７】
制御部１０６は、ユーザのコマンド操作による命令信号や、車両内に設置された車速センサ（図示せず）からの信号、ＧＰＳ（Ｇｌｏｂａｌ  Ｐｏｓｉｔｉｏｎｉｎｇ  Ｓｙｓｔｅｍ）受信装置（図示せず）からの位置情報を示す信号、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）受信装置（図示せず）からの交通情報を示す信号等を、制御信号として受信する。制御部１０６は、受信した制御信号に基づいて、圧縮部１０２，記録装置１０３および伸長部１０４を制御してテレビ信号を記録および／または再生させる。
【０１０８】
まず、車載用記録再生装置１０１に入力されたテレビ信号が再生されるまでの一連の動作について説明する。テレビ信号は、車両に設置されたテレビ用アンテナ（図示せず）で受信され、Ａ／Ｄコンバータ（図示せず）によってデジタル信号に変換された上で、圧縮部１０２に入力される。
【０１０９】
圧縮部１０２は、デジタル信号に変換されたテレビ信号を受信し、たとえば、ＭＰＥＧ−２（Ｍｏｖｉｎｇ  Ｐｉｃｔｕｒｅ  Ｅｘｐｅｒｔｓ  Ｇｒｏｕｐ  ｐｈａｓｅ−２）等の圧縮方式を用いて、圧縮データに変換する。以下、当該圧縮データを圧縮テレビデータという。
【０１１０】
圧縮部１０２から出力される圧縮テレビデータは、記録装置１０３内の記録媒体（図示せず）に書き込まれる。ここで、記録媒体として、大量のデータを保存でき、ランダムアクセスが可能であるハードディスクを用いることにする。記録装置１０３は、運転中であっても、圧縮テレビデータを記録することができ、予約録画のように設定した時刻が到来するまで、圧縮テレビデータを記録するか、あるいは、録画停止のコマンドが制御部１０６から与えられるまで圧縮テレビデータを記録する。記録装置１０３は、これらの条件以外では、記録媒体の容量に空きがある限り、録画を続ける。
【０１１１】
伸長部１０４は、制御部１０６から再生指示があった場合、記録装置１０３より圧縮テレビデータを読み出して、伸長する。伸長された圧縮テレビデータは、デジタル信号である。
【０１１２】
記録装置１０３はランダムアクセス可能なハードディスクを想定しているので、ユーザは、複数存在する番組から好きな番組を選んだり、また、ある番組の途中からなど、ユーザの希望する番組、希望するシーンから再生させることができる。
【０１１３】
伸長部１０４から出力されたデジタル信号は、Ｄ／Ａコンバータ（図示せず）によってアナログ信号に変換される。これにより、テレビ信号が生成されることとなる。以下、伸長部１０４がテレビ信号を生成するといった場合、Ｄ／Ａコンバータでの変換の後、アナログのテレビ信号が生成されることを意味するものとする。再生部１０５は、生成されたテレビ信号を再生し、映像や音声を出力する。
【０１１４】
走行中の場合、制御部１０６は、たとえば、カーナビゲーションの案内を再生部１０５に表示させる（カーナビゲーションに関する制御系の図示は省略する）。制御部１０６は、ユーザによるテレビの視聴が許可される状況で、かつ、運転者から再生要求がある場合に、伸長部１０４に圧縮テレビデータを伸長させ、再生部１０５に映像を表示させる。
【０１１５】
図２は、ユーザから再生指示があった場合の制御部１０６の動作を示すフローチャートである。以下、図２を参照しながら、ユーザから再生指示があった場合の制御部１０６の動作について説明する。
【０１１６】
まず、制御部１０６は、再生要求を受信する（ステップＳ１０１）。次に、制御部１０６は、再生開始位置を初期化する（ステップＳ１０２）。ここで、再生開始位置とは、再生する際の圧縮テレビデータの開始位置を示す。すなわち、再生開始位置は、既に再生された圧縮テレビデータの末尾の位置を示す。ステップＳ１０２の初期化において、再生開始位置は、圧縮テレビデータの先頭位置となる。制御部１０６は、再生開始位置をメモリ（図示せず）に格納しておく。
【０１１７】
次に、制御部１０６は、記録装置１０３にユーザ所望の番組の圧縮テレビデータを記録するように指示し、番組の録画を開始させる（ステップＳ１０３）。次に、制御部１０６は、車速センサ（図示せず）からの信号を受信して、車両が走行中であるか否かを判断する（ステップＳ１０４）。
【０１１８】
走行中でない場合、制御部１０６は、再生中であるか否かを判断する（ステップＳ１０７）。再生中である場合、制御部１０６は、ステップＳ１１３の動作に進む。一方、再生中でない場合、制御部１０６は、現在の再生開始位置を確認し（ステップＳ１０８）、記録装置１０３に記録されている圧縮テレビデータを当該再生開始位置から読み出して伸長するよう伸長部１０４に指示し、伸長されたテレビ信号を再生部１０５に再生させ（ステップＳ１０９）、ステップＳ１１３の動作に進む。
【０１１９】
一方、ステップＳ１０４において、走行中であると判断した場合、制御部１０６は、車速センサ（図示せず）からの信号を受信して、車両が徐行中であるか否かを判断する（ステップＳ１０５）。徐行中である場合、制御部１０６は、ＧＰＳ受信装置（図示せず）および／またはＶＩＣＳ受信装置（図示せず）からの情報を受信して、現在位置している場所が安全な場所であるか否かを判断する（ステップＳ１０６）。安全な場所であると判断した場合、制御部１０６は、ステップＳ１０７の動作に進む。一方、安全な場所でないと判断した場合、制御部１０６は、ステップＳ１１０の動作に進む。
【０１２０】
安全な場所であるか否かの判断にあたり、たとえば、制御部１０６は、カーナビゲーションシステム（図示せず）の地図情報とＧＰＳ装置（図示せず）からの車両位置情報とに基づいて、カーブの多い山道等は危険な場所であると判断してもよいし、ＶＩＣＳ受信装置（図示せず）からの情報に基づいて渋滞情報を入手し、渋滞の場合は徐行と停止を繰り返すため、安全であると判断してもよい。
【０１２１】
一方、ステップＳ１０５の動作において、徐行中でないと判断した場合、制御部１０６は、ステップＳ１１０の動作に進む。
【０１２２】
ステップＳ１１０に動作において、制御部１０６は、再生中であるか否かを判断する。再生中である場合、制御部１０６は、再生を一時停止し（ステップＳ１１１）、一時停止した位置を新たな再生開始位置として、メモリ（図示せず）に格納されている再生開始位置を更新し（ステップＳ１１２）、ステップＳ１１３の動作に進む。再生を一時停止した後、制御部１０６は、オーディオ機器（図示せず）を制御して、カーナビゲーションによる道路案内を表示したり、音楽を再生させたり、テレビ音声だけを再生させたりする。
【０１２３】
一方、ステップＳ１１０の動作において、再生中でないと判断した場合、制御部１０６は、ステップＳ１１３の動作に進む。
【０１２４】
ステップＳ１１３の動作において、制御部１０６は、再生を終了するか否かを判断する。これは、ユーザの指示に基づいて判断してもよいし、所望の番組の録画が終了したか否かに基づいて判断してもよいし、予定していた録画時間が経過したか否かに基づいて判断してもよい。
【０１２５】
再生を終了しない場合、制御部１０６は、ステップＳ１０４の動作に戻る。一方、再生を終了する場合、制御部１０６は、処理を終了する。
【０１２６】
このように、第１の実施形態に係る車載用記録再生装置は、所望の番組を録画しながら、車の走行状況を検知し、運転者が安全運転義務を遵守できる安全な状況であるか否かを判断する。安全な状況でない場合、車載用記録再生装置は、番組の再生を一時停止すると共に、一時停止した位置を再生開始位置として記憶しておく。安全な状況になれば、車載用記録再生装置は、記憶している再生開始位置に基づいて、所望の番組を途切れることなく再生する。したがって、ドライブ中であっても、車内で所望の番組を途切れることなく安全に視聴することが可能となる。
【０１２７】
なお、制御部１０６の動作は、図２のフローチャートに示す動作に限定されるものではない。以下、図３および図４を参照しながら、制御部１０６の他の動作例について説明する。
【０１２８】
図３は、ユーザから再生指示があった場合の制御部１０６の再生動作を示すフローチャートである。まず、制御部１０６は、再生要求を受信し（ステップＳ１２１）、再生開始位置を初期化する（ステップＳ１２２）。次に、制御部１０６は、記録装置１０３にユーザ所望の番組の圧縮テレビデータを記録するように指示し、番組の録画を開始させる（ステップＳ１２３）。次に、制御部１０６は、記録装置１０３に記録させた圧縮テレビデータを伸長するよう伸長部１０４に命令し、再生部１０５に再生させ（ステップＳ１２４）、処理を終了する。これにより、所望の番組の録画および再生が開始される。
【０１２９】
図４は、録画中に制御信号を受信したときの制御部１０６の再生制御動作を示すフローチャートである。まず、制御部１０６は、制御信号を受信する（ステップＳ１３１）。次に、制御部１０６は、受信した制御信号の内容を認識し、視聴が許可できる安全な状況であるか否かを判断する（ステップＳ１３２）。具体的には、図２のステップＳ１０４〜Ｓ１０６に示したように、車速センサ（図示せず）やＧＰＳ受信装置（図示せず）、ＶＩＣＳ受信装置（図示せず）等からの制御信号に基づいて、制御信号の内容が再生の可否のいずれを示すものであるかを判断する。また、制御部１０６は、車速センサ（図示せず）からの停止を示す制御信号および運転開始を示す制御信号に基づいて、車両が停止したか運転開始したか否かを認識し、視聴の可否を判断してもよい。
【０１３０】
視聴を不許可すると判断した場合、制御部１０６は、伸長部１０４に伸長を一時停止するよう命令し、再生を一時停止させ（ステップＳ１３３）、再生開始位置を更新し（ステップＳ１３４）、処理を終了する。
【０１３１】
一方、視聴を許可すると判断した場合、制御部１０６は、再生開始位置を確認し（ステップＳ１３５）、伸長部１０４に当該再生開始位置から伸長させ、再生を開始し（ステップＳ１３６）、処理を終了する。
【０１３２】
図３および図４に示すように制御部１０６がそれぞれの処理を動作させることによっても、車載用記録再生装置１０１は、所望の番組を途切れることなく、車両が停止するなど、安全な状況となるたびに再生することが可能となる。
【０１３３】
なお、第１の実施形態では、入力信号はテレビ信号であるとしたが、これに限られるものでない。たとえば、車載カメラで撮影した映像等の映像信号を含むデータを入力信号として受信し、同様のシステムを構築してもよい。
【０１３４】
また、ＤＶＤ−Ｖｉｄｅｏや既に記録していたテレビ番組などを再生するに際し、車載用記録再生装置は、安全な状況であれば、ＤＶＤ−Ｖｉｄｅｏや既に記録していたテレビ番組などを途切れることなく再生するようにしてもよい。この場合、記録動作は不要なので、車載用記録再生装置は、再生制御だけすればよい。具体的には、制御部１０６で再生可能な状況であるか否かを判断し、再生不可能な場合は一時停止するなどの制御処理を行う。あるいは、インターネットなどのコンテンツ配信によるストリーミングにおいて同様のシステムを構築してもよい。
【０１３５】
なお、第１の実施形態では、テレビ信号は映像信号と音声信号とを含むこととしたが、これに限られるものではない。たとえば、テレビ信号に文字放送用の信号等が含まれている場合でも、同様のシステムを実現することが可能である。
【０１３６】
なお、第１の実施形態では、記録装置１０３はハードディスクドライブであるとしたが、これに限られたものではない。たとえば、半導体メモリやＤＶＤ−ＲＡＭなどランダムアクセスが可能な記録媒体であれば、同様のシステムを実現することが可能である。
【０１３７】
なお、第１の実施形態では、入力信号を圧縮し、記録媒体に保存し、伸長して再生することとしたが、これに限られるものではない。記録媒体が十分な容量を有する場合、圧縮部および伸長部を省略して、同様のシステムを構築することも可能である。
【０１３８】
なお、第１の実施形態では、徐行中に危険な状況でない場合は視聴を許可するとしたが、この危険な状況であるか否かの判断は第１の実施形態で説明したものに限られたものではない。運転者が安全運転を遵守できる状況であれば、視聴を許可してよい。
【０１３９】
なお、第１の実施形態では、番組を途切れることなく再生することとしたが、時間を有効活用するために、たとえば、野球中継での得点シーン等、盛り上がった特定のシーンだけを抽出して、優先的に再生するようにしてもよい。具体的には、車載用記録再生装置は、音声信号の出力レベルを検出することによって、歓声のレベル等から盛り上がったシーンであるか否かを判断し、一定レベル以上のシーンを特定のシーンであるとして決定し、そのシーンの映像のみを抽出して、再生するようにしてもよい。また、車載用記録再生装置は、映像信号に含まれる情報を検出して、番組制作者側が視聴者に視聴させたい特定のシーンであるか否かを判断し、その特定のシーンのみを抽出して再生するようにしてもよい。また、車載用記録再生装置は、映像信号に含まれる情報を検出して、ＣＭのシーンであるか否かを判断し、ＣＭ以外のシーンを特定のシーンであるとして決定し、その特定のシーンのみを抽出して再生するようにしてもよい。これにより、時間の有効活用が可能となる。
【０１４０】
図５は、特定のシーンだけを抽出して再生する場合の制御部１０６の動作を示すフローチャートである。以下、図５を参照しながら、特定のシーンだけを抽出して再生する場合の制御部１０６の動作について説明する。図５に示す動作は、図２に示すステップＳ１０９または図３に示すステップＳ１２４の処理と並行して行われる。
【０１４１】
まず、制御部１０６は、現在、記録装置１０３内に録画されている番組を追いかけ再生中であるか否かを判断する（ステップＳ１４１）。追いかけ再生中でない場合、制御部１０６は、ステップＳ１４１の動作に戻る。一方、追いかけ再生中である場合、制御部１０６は、特定シーンを再生中であるか否かを判断する（ステップＳ１４２）。
【０１４２】
特定シーンを再生中である場合、ステップＳ１４１の動作に戻る。一方、特定シーンを再生中でない場合、制御部１０６は、次に到来する特定シーンを認識する（ステップＳ１４３）。具体的には、制御部１０６は、映像信号に含まれる情報を先読みしたり、音声レベルのみを先読みしたりして、次に到来する特定シーンを認識する。次に、制御部１０６は、認識した次に到来する特定シーンまで現在再生中の番組をスキップして再生するように伸長部１０４に指示し（ステップＳ１４４）、ステップＳ１４１の動作に戻る。
【０１４３】
特定シーンの認識方法は、上述のように、音声出力レベルに基づいて認識する方法や、映像信号に含まれる情報に基づいて認識する方法の他、特定シーンを認識できる方法であれば、どのような方法であってもよい。
【０１４４】
なお、ユーザは、録画した番組をリムーバブルメディアなどに保存して、車外にも持ち出して再生してもよい。あるいは、車載用記録再生装置と家庭用記録再生装置とが通信可能であれば、ユーザは、録画した番組を車載用記録再生装置から家庭用記録再生装置にダウンロードして、所望の番組を再生することもできる。
【０１４５】
なお、ユーザは、録画した番組をリムーバブルメディアなどに保存して、車外にも持ち出して再生してもよい。あるいは、車載用記録再生装置と家庭用記録再生装置とが通信可能であれば、ユーザは、録画した番組を車載用記録再生装置から家庭用記録再生装置にダウンロードして、所望の番組を再生することもできる。
【０１４６】
（第２の実施形態）
第２の実施形態では、車を運転していて家に戻る場合に、車内で視聴していたテレビ番組の続きをシーンが途切れることなく家で視聴できる記録再生システムについて説明する。
【０１４７】
図６は、本発明の第２の実施形態に係る記録再生システムの構成を示す図である。図６において、記録再生システムは、車載用記録再生装置１２１と、車載用通信部３０１と、家庭用通信部３０２と、家庭用記録再生装置３０３とを備える。車載用記録再生装置１２１は、制御部１２６と、圧縮部（図示せず）と、記録装置（図示せず）と、伸長部（図示せず）と、再生部（図示せず）とを含む。なお、制御部１２６は、第１の実施形態に係る制御部１０６に相当する。制御部１２６以外の部分については、第１の実施形態と同様の機能を有するので、図６では図示を省略する。
【０１４８】
車載用通信部３０１は、制御部１２６と通信すると共に、インターネット（図示せず）等を介して、外部の通信装置と通信する。家庭用通信部３０２は、インターネット（図示せず）等を介して、外部の通信装置と通信する。ここでは、車載用通信部３０１と家庭用通信部３０２とが通信する状況を想定している。
【０１４９】
家庭用記録再生装置３０３および車載用記録再生装置１２１には、入力信号としてテレビ信号が入力される。
【０１５０】
車載用記録再生装置１２１は、入力されるテレビ信号を記録および／または再生する。
【０１５１】
制御部１２６は、必要に応じて、家庭用記録再生装置３０３にテレビ信号の記録を開始するよう指示する。以下、この指示の際に送信される情報を記録情報という。記録情報には、どの番組を何時から何時まで録画するのかといった情報が含まれている。制御部１２６は、必要に応じて、家庭用記録再生装置３０３に再生情報を送信する。ここで、再生情報とは、車載用記録再生装置１２１においてどの番組をどのシーンまで再生したかを示す情報のことをいう。
【０１５２】
家庭用記録再生装置３０３は、記録媒体としてハードディスク（図示せず）を含み、ユーザおよび／または車載用記録再生装置１２１からの指示に応じて、入力されるテレビ信号を記録および／または再生する。家庭用記録再生装置３０３は、車載用記録再生装置１２１からの記録情報を受信した場合、記録を開始する。家庭用記録再生装置３０３は、車載用記録再生装置１２１またはユーザからの特別な指示がない限り、当該番組の記録を継続する。家庭用記録再生装置３０３は、車載用記録再生装置１２１からの再生情報を記憶しておき、ユーザが車内でどの番組をどのシーンまで視聴したかを管理する。家庭用記録再生装置３０３は、記憶している再生情報に基づいて、ユーザが車内で視聴していた番組の続きを再生する。
【０１５３】
図７は、車載用記録再生装置１２１および家庭用記録再生装置３０３の動作を示すフローチャートである。以下、図７を参照しながら、車載用記録再生装置１２１および家庭用記録再生装置３０３の動作について説明する。
【０１５４】
まず、車載用記録再生装置１２１の動作について説明する。車載用記録再生装置１２１の制御部１２６は、車内で視聴していた番組の続きを家庭用記録再生装置３０３でも視聴したいというユーザからの指示（記録開始指示）を受信し、所望の番組の録画を開始させ、番組の再生を開始させる（ステップＳ２０１）。例えば、本体やリモコンに「シームレス機能ボタン」なるボタンがあり、この記録開始指示は、ユーザが当該ボタンを押すことで車載用記録再生装置１２１の制御部１２６に通知される。このシームレス機能ボタンは、単に記録開始指示を車載用記録再生装置１２１に通知するだけでなく、以後の動作を発動させるためのスタートスイッチの役割を果たしている。
【０１５５】
次に、制御部１２６は、家庭用記録再生装置３０３宛に記録情報を送信して、記録装置１０３で録画中の番組と同一の番組を家庭用記録再生装置３０３に録画させる（ステップＳ２０２）。
【０１５６】
次に、制御部１２６は、再生を停止すべきか否かを判断する（ステップＳ２０３）。この判断は、第１の実施形態で説明したように、安全な場所で走行中であるか否かに基づいて行えばよい。再生を停止すべきである場合、制御部１２６は、再生を停止させ、再生開始位置を更新し（ステップＳ２０４）、ステップＳ２０５の動作に進む。再生開始位置については、第１の実施形態の場合と同様である。一方、再生を停止すべきでない場合、制御部１２６は、ステップＳ２０５の動作に進む。
【０１５７】
ステップＳ２０５において、制御部１２６は、再生情報を送信すべきか否かを判断する。具体的には、制御部１２６は、エンジンが停止することによって電源がオフになる前に再生情報を送信すると判断してもよいし、再生停止毎に再生情報を送信するとしてもよい。
【０１５８】
ステップＳ２０５において、再生情報を送信すべきと判断した場合、制御部１２６は、再生情報を送信して（ステップＳ２０６）、ステップＳ２０７の動作に進む。一方、再生情報を送信すべきでないと判断した場合、制御部１２６は、ステップＳ２０７の動作に進む。
【０１５９】
ステップＳ２０７において、制御部１２６は、記録を終了するべきか否かを判断する。記録を終了すべきでない場合、制御部１２６は、ステップＳ２０３の動作に戻る。一方、記録を終了すべきである場合、制御部１２６は、記録を終了して（ステップＳ２０８）、処理を終了する。制御部１２６は、処理を終了する際、最終的な再生情報を家庭用記録再生装置３０３に送信してもよい。
【０１６０】
次に、家庭用記録再生装置３０３の動作について説明する。まず、家庭用記録再生装置３０３は、車載用記録再生装置１２１から送信されてくる記録情報を受信する（ステップＳ３０１）。次に、家庭用記録再生装置３０３は、記録情報に含まれている番組の録画を開始する（ステップＳ３０２）。これにより、車載用記録再生装置１２１で録画されている番組と同一の番組が、家庭用記録再生装置３０３でも録画されることとなる。
【０１６１】
次に、家庭用記録再生装置３０３は、再生情報を受信したか否かを判断する（ステップＳ３０３）。再生情報を受信した場合、家庭用記録再生装置３０３は、再生情報を更新し（ステップＳ３０４）、ステップＳ３０５の動作に進む。一方、再生情報を受信していない場合、家庭用記録再生装置３０３は、ステップＳ３０５の動作に進む。
【０１６２】
ステップＳ３０５の動作において、家庭用記録再生装置３０３は、記録を終了すべきか否かを判断する。具体的には、これの判断は、番組が終了したか否かや、ユーザからの特別な指示があったか否か等によってなされる。記録を終了すべきでない場合、家庭用記録再生装置３０３は、ステップＳ３０３の動作に戻る。一方、記録を終了すべきである場合、家庭用記録再生装置３０３は、記録を終了して（ステップＳ３０６）、処理を終了する。
【０１６３】
図８は、車載用記録再生装置１２１での記録状態、および家庭用記録再生装置３０３での記録状態を模式的に示す図である。図８において、バーの長さがそれぞれの総容量を示している。ただし、それぞれのバーの長さの差は、容量の相対的な大小関係を表すもので、絶対的な容量の差を表すものではない。また、記録媒体にはランダムアクセス可能なものを用いるためディスク上の様々なアドレスから記録が行われるが、図８では、説明簡略化のためデータは左端から右に向かって記録されているものと想定している。
【０１６４】
以下、図８を参照しながら、車載用記録再生装置１２１および家庭用記録再生装置３０３の動作を具体的に説明する。車載用記録再生装置１２１は、ａ点で番組の録画を開始したとする。この時点で、車載用記録再生装置１２１は、記録情報を家庭用記録再生装置３０３に送信する。当該記録情報を受け取った家庭用記録再生装置３０３は、ａ点から同じ番組の録画を開始する。なお、実際は、記録情報が家庭用記録再生装置３０３に到達するまでの時間差があるので、完全に同一の時点から録画が開始するわけではない。この問題については、後で説明する。
【０１６５】
車載用記録再生装置１２１は、ｂ点まで、再生を終了していたとする。続いて、車載用記録再生装置１２１は、エンジン停止による電源のオフによって、ｃ点で車内での記録を終了したとする。この場合、車載用記録再生装置１２１は、ｂ点に関する情報を再生情報として記憶している。車載用記録再生装置１２１は、電源がオフする直前、ｂ点に関する再生情報を家庭用記録再生装置３０３に送信する。ｃ点までのデータは、車載用記録再生装置１２１および家庭用記録再生装置３０３の両方に記録されていることとなる。
【０１６６】
家庭用記録再生装置３０３は、当該番組の終了時点であるｄ点まで録画を継続する。ユーザは、車内で視聴していた番組の続きを視聴したい場合、その旨の指示を家庭用記録再生装置３０３に与える。家庭用記録再生装置３０３は、当該番組を録画しながら、ｂ点から再生を開始し、所望の番組の追いかけ再生を実現する。
【０１６７】
なお、上記ａ〜ｄ点は、実際のアドレスポインタで示すのではなく、記録開始位置からどの程度進んでいるかを示す情報である。また、車載用記録再生装置１２１で録画を終了するｃ点は、エンジン停止による電源オフ時に限られず、ユーザが任意に指定して、録画を停止してもよい。車載用記録再生装置で録画が終了したとしても、番組は、家庭用記録再生装置３０３で最後まで録画され続けるので、ユーザは、番組を最後まで視聴することができる。なお、家庭用記録再生装置３０３での記録も停止できるコマンドが車載用記録再生装置１２１に用意されていてもよい。
【０１６８】
図９は、再生情報を参照して再生を開始する家庭用記録再生装置３０３の動作を示すフローチャートである。以下、図９を参照しながら、再生情報を参照して再生を開始する家庭用記録再生装置３０３の動作について説明する。
【０１６９】
まず、家庭用記録再生装置３０３は、車両で視聴した番組の続きを見たいというユーザからの指示を受信する（ステップＳ３１１）。たとえば、リモコンに「シームレス再生ボタン」なるものがあり、この指示は、ユーザが当該ボタンを押すことで家庭用記録再生装置３０３に通知される。このシームレス再生ボタンは以後の動作のスタートボタンの役割を果たす。次に、家庭用記録再生装置３０３は、記憶している再生情報を参照する（ステップＳ３１２）。次に、家庭用記録再生装置３０３は、参照した再生情報に基づいて、どの時点で再生が終了しているか認識し（ステップＳ３１３）、その時点から再生を開始し（ステップＳ３１４）、処理を終了する。
【０１７０】
このように、本発明の第２の実施形態に係る記録再生システムは、ユーザが車内で視聴していた番組と同一の番組を家庭用記録再生装置３０３でも録画することができ、さらに、車内で最終的に再生が終了した時点を家庭用記録再生装置３０３に伝えることができる。したがって、家庭用記録再生装置３０３は、車内で途中まで視聴した番組の続きを家でシーンが途切れることなく最後まで再生することができるので、ユーザは、車内で視聴した番組の続きを最後まで視聴することが可能となる。
【０１７１】
なお、第２の実施形態では、運転者がテレビを視聴する状況を想定したが、同乗者がテレビを視聴する場合にも同様のシステムを利用できる。同乗者がテレビ視聴する場合は、運転状況に関わらず視聴が可能であるため、この場合は記録装置がなくてもよく、再生情報送信処理のみが行われればよい。
【０１７２】
なお、上記ステップＳ３０４において、再生情報を更新する際、家庭用記録再生装置３０３は、新たな再生情報より前に受信した再生情報で示される位置より前のデータ（すなわち、車内で既に再生されたデータ）を削除するようにしてもよい。これにより、記憶領域を効率よく利用することが可能となる。
【０１７３】
なお、第２の実施形態では、車載用記録再生装置１２１が記録情報を家庭用記録再生装置３０３に送信することによって、同時期に車載用記録再生装置１２１と家庭用記録再生装置３０３とで同一の番組を録画することとした。その上で、車載用記録再生装置１２１が再生終了時点であるｂ点に関する情報を再生情報として、家庭用記録再生装置３０３に送信し、家庭用記録再生装置３０３が当該再生情報に基づいて、ｂ点から番組の再生を開始することとした。しかし、家庭用記録再生装置３０３がｂ点からｃ点までの番組に関するデータを取得することができるのであれば、上記実施形態のような動作に限られるものではない。たとえば、ｃ点が到来したときに、車載用記録再生装置１２１がｂ点からｃ点までのデータを家庭用記録再生装置３０３に送信し、家庭用記録再生装置３０３が送られてきたデータに基づいてｂ点からのデータを再生しつつ、並行して、ｃ点以降の番組を録画すればよい。この場合、家庭用記録再生装置３０３は、ｂ点からｃ点までの再生が終了したら、ｃ点以降に録画した番組を再生するようにすればよい。
【０１７４】
なお、第２の実施形態では、記録情報が車載用記録再生装置１２１から家庭用記録再生装置３０３に到達するまでの間、時間差が生じることとなるので、家庭用記録再生装置３０３で記録できない箇所が生じる。この問題を解決するために、車載用記録再生装置１０１は、記録の開始位置より所定期間だけ前の位置から当該開始位置までのデータを、記録情報を送信した後、家庭用記録再生装置３０３に送信してもよい。ここで、当該所定の時点は、通信によって生じる時間差に基づいて、決定される。この場合、送信されてくるデータを受信した家庭用記録再生装置３０３は、自機器内で記録済みのデータと連続的につながるように受信したデータを記録する。これにより、記録情報が到達するまでの間の番組も、家庭用記録再生装置３０３に記録されることとなる。
【０１７５】
また、車載用記録再生装置１２１は、家庭用記録再生装置３０３と通信することによって、記録開始位置を認識し、車載用記録再生装置１２１で未再生かつ家庭用記録再生装置３０３で記録されていないデータのみを、家庭用記録再生装置３０３に転送するようにしてもよい。なお、車載用記録再生装置１２１で未再生かつ家庭用記録再生装置３０３で記録されていないデータを家庭用記録再生装置３０３に転送させるための専用のボタンやメニュー画面が設けられてもよい。
【０１７６】
なお、第２の実施形態では、車載用通信部３０１と家庭用通信部３０２とは、インターネットを介して通信することとしたが、これに限られるものではなく、通信可能であれば、どのようなシステムを介して通信してもよい。たとえば、携帯電話回線を介して直接通信してもよい。
【０１７７】
なお、第２の実施形態では、テレビ信号を例に説明したがこれに限られるものではない。入力信号として、映像信号を含むデータを受信するとしてもよい。
【０１７８】
なお、テレビ番組を視聴する以外に、車内でＤＶＤ−Ｖｉｄｅｏを視聴する場合、車載用記録再生装置１２１は、車内で最終的に再生していたアドレスを家庭用記録再生装置３０３に送信し、家庭用記録再生装置３０３は、ユーザが後で同じＤＶＤ−Ｖｉｄｅｏを再生する際、当該アドレスを参照して、車で視聴していたシーンの続きを再生するようにしてもよい。この場合、車載用記録再生装置１２１は、再生情報の他、ＤＶＤ−Ｖｉｄｅｏのメディアを特定する情報を送信する必要がある。
【０１７９】
その他、ラジオ放送などの映像信号を含まないデータに関しても同様に車で聴いていた続きを家で聞くことができるようにすることも可能である。
【０１８０】
なお、第２の実施形態では、家庭用記録再生装置３０３は車載用記録再生装置１２１から記録情報を受信することよって記録を開始することとしたが、これに限られるものではない。たとえば、家庭用記録再生装置３０３は、車が家に近づいてきたら記録を開始してもよい。この場合、家庭用記録再生装置３０３は、車と家との距離情報を取得し、ある特定の距離に車が近づいてきたら、記録を開始すればよい。車と家との距離情報は、たとえば、ＧＰＳとカーナビゲーションシステムとを連動することで得ることができる。あるいは、車載用記録再生装置１２１が車と家との距離がある一定値より小さくなったときに記録情報を家庭用記録再生装置３０３に送信するとしてもよい。または、家庭用記録再生装置３０３は、ユーザからの任意のタイミングでの指示により、記録を開始してもよい。
【０１８１】
なお、車載用記録再生装置１２１における記録開始指示の送信は、ユーザがシームレス機能ボタンを押すことによって行われることとしたが、これに限られるものではない。たとえば、操作メニューに「シームレス機能」なるメニューを設け、ユーザがメニュー画面上でそれを選ぶことによって、記録開始指示が送信されるとしてもよい。あるいは、ユーザがテレビ番組を視聴開始したときに自動的に記録が開始され、記録開始指示が送信されるとしてもよい。この場合は、設定で自動シームレス機能をＯＮ／ＯＦＦを切り替えられるようにすれば、普段は記録をして欲しくない場合にも対応可能である。
【０１８２】
なお、家庭用記録再生装置３０３の記録媒体の容量と車載用記録再生装置１２１の記録媒体の容量との大小関係は、上記に示すものに限られない。
【０１８３】
なお、家庭用記録再生装置３０３において車内で視聴したシーンの続きを再生する際に、シームレス再生ボタンを押すとしたが、これに限られるものではない。たとえば、操作メニューに「シームレス再生」なるメニューを設け、ユーザがメニュー画面上でそれを選べば、続きが再生できるとしてもよい。
【０１８４】
なお、第２の実施形態では、車内で視聴していた番組の続きから家庭用記録再生装置３０３で再生することとしたが、これに限られるものではない。たとえば、家庭用記録再生装置３０３は、車内で最後に見たシーンの所定期間少し前から再生するようにしてもよい。これにより、ユーザは、シーンのつながりを認識することが可能となる。
【０１８５】
（第３の実施形態）
第３の実施形態では、家でテレビを視聴していて車で出かける場合に、家で視聴していたテレビ番組の続きをシーンが途切れることなく車内で視聴できる記録再生システムについて説明する。システム構成図は、第２の実施形態の場合と同様であるとし、図６を援用する。
【０１８６】
図１０は、本発明の第３の実施形態に係る車載用記録再生装置および家庭用記録再生装置の動作を示すフローチャートである。以下、図１０を参照しながら、車載用記録再生装置および家庭用記録再生装置の動作について説明する。
【０１８７】
まず、家庭用記録再生装置の動作について説明する。
【０１８８】
家庭用記録再生装置は、ユーザからの指示等によって、テレビ番組の再生を停止する（ステップＳ４０１）。このとき、再生していたテレビ番組は、追いかけ再生しているテレビ番組であってもよいし、リアルタイムに放送されているテレビ番組であってもよい。
【０１８９】
次に、家庭用記録再生装置は、視聴していた番組の続きを継続して車内でも視聴したいというユーザからの実行命令を受信する（ステップＳ４０２）。視聴していた番組の続きを継続して車内でも視聴する機能のことを、シームレス再生機能ということにする。たとえば、リモコンや家庭用記録再生装置本体に「シームレス機能ボタン」なるものがあり、ユーザが当該ボタンを押すことで、シームレス再生機能の実行命令は、家庭用記録再生装置に与えられる。このシームレス機能ボタンは、以後の動作のスタートボタンとしての役割を果たしている。
【０１９０】
次に、家庭用記録再生装置は、シームレス再生機能の実行命令の対象となっている番組の記録を開始する（ステップＳ４０３）。なお、タイマー予約などにより、既に番組を録画している場合、家庭用記録再生装置は、そのまま録画を継続する。
【０１９１】
次に、家庭用記録再生装置は、車載用記録再生装置へシームレス再生機能の実行命令を送信する（ステップＳ４０４）。これに対し、車載用記録再生装置は、当該実行命令を受信した旨のＡＣＫ信号および記録をどの時点から開始したかを示す記録開始情報（ＡＣＫ信号および記録開始情報をＡＣＫ記録情報という）を返信する。これについては、後述する。
【０１９２】
家庭用記録再生装置は、車載用記録再生装置からのＡＣＫ信号および記録開始情報を受信したか否かを判断する（ステップＳ４０５）。受信していない場合、家庭用記録再生装置は、ステップＳ４０４の動作に戻り、当該実行命令を再び送信する。家庭用記録再生装置は、当該実行命令の再送を一定期間（たとえば、１分間）経過後に行う。一定期間（たとえば、１０分間）経過しても、ＡＣＫ信号が返ってこない場合、家庭用記録再生装置は、当該実行命令の送信を中止する。
【０１９３】
一方、ＡＣＫ信号および記録情報を受信した場合、家庭用記録再生装置は、当該記録情報に基づいて、所望の番組の再生が停止されてから車載用記録再生装置で記録が開始するまでの間に記録しておいたデータを認識し、当該データを車載用記録再生装置宛に送信し（ステップＳ４０６）、処理を終了する。
【０１９４】
次に、車載用記録再生装置の動作について説明する。
【０１９５】
まず、車載用記録再生装置に、電源が投入される（ステップＳ５０１）。次に、車載用記録再生装置は、家庭用記録再生装置からのシームレス再生機能の実行命令を受信したか否かを判断する（ステップＳ５０２）。家庭用記録再生装置は１分間隔毎に実行命令を送信しているので、車載用記録再生装置は、１分以内には、当該実行命令を受信できる。
【０１９６】
シームレス再生機能の実行命令を受信していない場合、車載用記録再生装置は、ステップＳ５０２の動作を繰り返す。一方、シームレス再生機能の実行命令を受信した場合、車載用記録再生装置は、所望の番組の記録を開始し（ステップＳ５０３）、ステップＳ５０４の動作に進む。
【０１９７】
ステップＳ５０４の動作において、車載用記録再生装置は、当該実行命令を受信した旨のＡＣＫ信号および記録を開始した時点を示す記録開始情報を家庭用記録再生装置宛に送信する（ステップＳ５０４）。記録開始情報は、記録を開始した時点を示す時間情報である。車載用記録再生装置の時計が示す時刻と家庭用記録再生装置の時計が示す時刻とが一致していないとずれが生じるので、これらの装置は、電波時計等を用いて、正確に同期している。
【０１９８】
これに対して、家庭用記録再生装置は車載用記録再生装置が記録できなかったシーンについてのデータを送信するので、車載用記録再生装置は、当該データを受信し（ステップＳ５０５）、処理を終了する。
【０１９９】
その後、車載用記録再生装置は、ユーザの指示に応じて、番組の続きを再生する場合、家庭用記録再生装置から受信したデータから先に再生して、次に、自装置が記録したデータを再生する。具体的には、第１の実施形態の場合と同様であるので図２、または図３および図４のフローチャートを援用する。ただし、ステップＳ１０２またはＳ１２２において、再生開始位置を初期化するに際しては、ステップＳ５０５で受信したデータの開始位置が再生開始位置として登録されることとなる。リモコンや車載用記録再生装置に「シームレス再生ボタン」なるものがあり、ユーザによって当該ボタンが押されると、再生が開始される。これによって、家で見ていたシーンの続きをユーザは、視聴することが可能となる。
【０２００】
図１１は、車載用記録再生装置での記録状態、および家庭用記録再生装置での記録状態を模式的に示した図である。図１１での記載方法は、図８の場合と同様である。
【０２０１】
以下、図１１を参照しながら、車載用記録再生装置および家庭用記録再生装置の動作を具体的に説明する。家庭用記録再生装置は、ｅ点でシームレス再生機能用の記録を開始したとする。その後、家庭用記録再生装置は、シームレス再生機能の実行命令を送信する。車載用記録再生装置は、ｆ点で、当該実行命令を受信したとすると、ｆ点から所望の番組の記録を開始し、ＡＣＫ信号および記録情報を家庭用記録再生装置に返信する。
【０２０２】
この返信を受け取った家庭用記録再生装置は、ｆ点までに記録したデータを車載用記録再生装置に送信する。車載用記録再生装置は、当該データを受信し、自装置の記録媒体に格納する。これにより、車載用記録再生装置には、家で再生が中止されたｅ点からｆ点までのデータが格納されることとなるので、ユーザは、家で視聴していた番組を途切れることなく視聴することが可能となる。
【０２０３】
このように、本発明の第３の実施形態に係る記録再生システムは、家で見ていたテレビ番組の続きを家庭用記録再生装置に一時記録しておき、家から車に移動するまでの間視聴することができなかったシーンについてのデータを車載用記録再生装置に転送するので、家でテレビ番組を見ていて車で出かけなければならなくなった場合にも、車でその番組をシーンが途切れることなく視聴することを可能となる。
【０２０４】
なお、第３の実施形態では、家庭用記録再生装置は、ＡＣＫ信号を受信した後、車載用記録再生装置にデータを送信することとしたが、これに限られるものではない。たとえば、車載用記録再生装置が、データ送信を要求し、家庭用記録再生装置がこの要求に応じて、記録済みのデータを送信するようにしてもよい。
【０２０５】
なお、第３の実施形態では、視聴する番組を現在放送されているものに限定したが、これに限られるものではない。たとえば、既に記録済みの番組等を車でもみたい場合、家庭用記録再生装置は、車載用記録再生装置に記録済みのデータをすべて送信したり、未再生のデータを全て再生してもよい。また、ＤＶＤ−Ｖｉｄｅｏなどのメディアの場合、家庭用記録再生装置は、再生を停止したアドレスポイントを車載用記録再生装置に送信し、車載用記録再生装置は、当該アドレスポイントに基づいて、途中からディスクを再生することで車の中でその続きを視聴することが可能となる。
【０２０６】
なお、第３の実施形態では、家庭用記録再生装置は、車載用記録再生装置にシームレス再生機能実行命令を１分間毎に送信することとしたが、これに限られるものではない。家で再生を停止して車にエンジンをかけるまでの間、すなわち家庭用記録再生装置とガレージとの間の距離などを考慮して、家庭用記録再生装置が、適切な時間毎に当該実行命令を送信するよう設定してもよい。同様に、タイムアウト時間を１０分と設定したが、これも適切な時間に設定してよい。
【０２０７】
なお、第３の実施形態では、ユーザがシームレス機能ボタンを押すことで、家庭用記録再生装置が、シームレス再生機能実行命令を送信することとしたが、これに限られるものではない。たとえば、操作メニューからシームレス再生機能実行命令の送信が選ばれてもよい。あるいは、家庭用記録再生装置は、電源が切られるときに、自動的にシームレス再生機能実行命令を送信してもよい。この場合、車で出かけないなら、家庭用記録再生装置は、タイムアウトによりシームレス再生機能を停止するので、番組を無意味に記録することはない。
【０２０８】
なお、再生停止（ステップＳ４０１）のタイミングと電源投入（ステップＳ５０１）のタイミングとは、どちらが先であってもよい。
【０２０９】
なお、第３の実施形態では、車載用記録再生装置の時計と家庭用記録再生装置の時計との同期を取るために電波時計を利用するとしたが、これに限られるものではない。他の方法で時計の同期を取る場合でも同様のシステムを実現することができる。
【０２１０】
なお、シームレス再生ボタンが押されることによって、車載用記録再生装置において再生が開始されることとしたが、これに限られるものではない。たとえば、操作メニューから選ばれることによって、再生が開始されてもよい。あるいは、車載用記録再生装置において、家で見ていたシーンの続きを再生する準備ができたら、自動的に再生が開始されてもよい。
【０２１１】
なお、第３の実施形態では、車内で視聴するシーンは、家で最後に再生したシーンの続きからであるとしたが、これに限られるものではない。たとえば、家庭用記録再生装置は、随時、一定期間前のデータを記録しておき、最後に再生したシーンの少し前のシーンのデータから車載用記録再生装置に送信し、車載用記録再生装置は、少し前のシーンから再生するようにしてもよい。
【０２１２】
なお、第３の実施形態では、家庭用記録再生装置は再生停止後に記録を開始するとしたが、再生停止前に車載用記録再生装置に記録指示を送信し記録を開始させるようにしてもよい。これにより、家庭用記録再生装置における記録動作を省略することができる。
【０２１３】
なお、第１〜第３の実施形態で示した記録再生装置およびシステムは、車載用および家庭用であるとしたが、用途としてはこれに限られるものではない。上記実施形態で示した記録再生装置は、あることをしながらテレビ番組を視聴したいときに、テレビ番組のシーンを断続的ではあるが、途切れることなく再生したい場合に用いることができる。たとえば、家事をしながらテレビ番組を視聴したい場合、テレビの前にユーザが位置していたときだけ再生するようにしてもよい。また、工場やビル管理などある作業をしながら映像を視聴したい場合、モニタの前にユーザが位置していたときだけ再生するようにしてもよい。このような場合、人感知センサからの制御信号に基づいて、制御部は、視聴を許可するか否かを判断すればよい。
【０２１４】
（第４の実施形態）
第４の実施形態では、車内で複数のユーザ、例えば運転者がフロントディスプレイで、同乗者が後部座席用ディスプレイでテレビ番組を視聴する場合に、それぞれが車内で視聴した続きを家で視聴することができる記録再生システムについて説明する。
【０２１５】
図１２は、本発明の第４の実施形態に係る記録再生システムの構成を示す図である。図１２において、記録再生システムは、車載用記録再生装置１３１と、車載用通信部３０１と、家庭用通信部３０２と、家庭用記録再生装置３０３とを備える。車載用記録再生装置１３１は、制御部１３６と、第二伸長部１３４と、第二再生部１３５と、圧縮部（図示せず）と、記録装置（図示せず）と、第一伸長部１０４と、第一再生部１０５とを含む。制御部１３６は、第２、第３の実施形態に係る制御部１２６に相当する。圧縮部、記録装置については、第１〜３の実施形態と同様の機能を有するので、図１２では図示を省略する。第一伸長部１０４および第一再生部１０５は、第１の実施形態における伸長部１０４および再生部１０５と同様の機能を有するので、同一の参照符号を付す。
【０２１６】
第二伸長部１３４は、第一伸長部１０４と同様に記録装置と接続されている（図示せず）。第二伸長部１３４は、第一伸長部１０４と同様の機能を有しており、記録装置から圧縮データを読み出し、読み出した圧縮データを伸長してテレビ信号を生成する。
【０２１７】
第二再生部１３５は、第二伸長部１３４によって生成されたテレビ信号を再生して表示する。たとえば、第二再生部１３５は、映像信号を後部座席用ディスプレイに表示し、音声信号を後部座席用のヘッドホンから出力する。
【０２１８】
本実施形態では第２、第３の実施形態と同様、車載用通信部３０１が制御部１３６と通信すると共に、インターネット（図示せず）等を介して、家庭用通信部３０２と通信する状況を想定している。
【０２１９】
同様に、車載用記録再生装置１３１と家庭用記録再生装置３０３とには、入力信号としてテレビ信号が入力される。
【０２２０】
また、車載用記録再生装置１３１では、運転者と同乗者とは同じテレビ番組を視聴しているものとする。運転者は車が走行中は視聴することができないため、運転者と同乗者とでは同じ番組でも異なるシーンを視聴することになる。
【０２２１】
制御部１３６は、必要に応じて家庭用記録再生装置３０３にテレビ信号の記録を開始するよう指示する。制御部１３６が家庭用記録再生装置３０３に送信する記録情報は、第２の実施形態で説明した記録情報と同様のものである。また、制御部１３６は、家庭用記録再生装置３０３に再生情報を送信する。本実施形態における再生情報は、第一再生部１０５においてどの番組をどのシーンまでを再生したかを示す第１の再生情報と、第二再生部１３５においてどの番組をどのシーンまでを再生したかを示す第２の再生情報とを含む。上述のように、第１の再生情報で指定されている番組と第２の再生情報で指定されている番組とは同一である。
【０２２２】
家庭用記録再生装置３０３は、第２の実施形態と同様に、車載用記録再生装置１３１からの指示に応じて、入力されるテレビ信号を記録および／または再生する。家庭用記録再生装置３０３は、車載用記録再生装置１３１から送信された記録情報を受信すると、記録を開始する。また、家庭用記録再生装置３０３は、車載用記録再生装置１３１からの再生情報を記憶する。再生情報は第１および第２の再生情報を含むので、家庭用記録再生装置３０３は、運転者と同乗者とがそれぞれ車内でどの番組をどのシーンまで視聴したかを管理する。
【０２２３】
本実施形態における車載用記録再生装置１３１および家庭用記録再生装置３０３の動作は第２の実施形態で説明したものとほぼ同等であり、図７で示したフローチャートに従う。異なる点は、ステップＳ２０４において更新される再生情報の内容が、第一再生部１０５がどの番組をどのシーンまで視聴したかという第１の再生情報と、第二再生部１３５がどの番組をどのシーンまで視聴したかという第２の再生情報とを含むという点である。
【０２２４】
ここで車載用記録再生装置１３１における再生について説明する。第一再生部１０５については第１、第２の実施形態で説明した通りである。第二再生部１３５については、視聴するユーザが同乗者であるため、車の走行状態にかかわらず再生を行うことが可能である。
【０２２５】
図８を用いて説明する。ａ点、ｂ点、ｄ点は第２の実施形態で説明した通りである。ｃ点は車内で記録を終了した点であると同時に、同乗者が視聴を終えた点、すなわち第二再生部１３５が再生を終了した点である。このように、ｂ点に関する情報が第１の再生情報となる。ｃ点に関する情報が第２の再生情報となる。よって、第一再生部１０５で再生が終了した時点と第二再生部１３５で再生が終了した時点とが異なる場合でも、再生情報には、再生が終了したそれぞれの時点が情報として含まれることとなる。
【０２２６】
図１３は、再生情報を参照して再生を開始する家庭用記録再生装置３０３の動作を示すフローチャートである。以下、図１３を参照しながら、再生情報を参照して再生を開始する家庭用記録再生装置３０３の動作について説明する。
【０２２７】
まず、家庭用記録再生装置３０３は、ユーザ指示を受信する（ステップＳ６０１）。たとえば、リモコンに「シームレス再生ボタン１」、「シームレス再生ボタン２」なるものがあり、ユーザがこのボタンのどちらかを押すことで、この指示が家庭用記録再生装置３０３に通知される。このシームレス再生ボタン１およびシームレス再生ボタン２は以後の動作のスタートボタンの役割を果たす。
【０２２８】
次に、家庭用記録再生装置３０３は、ユーザＩＤを判断する（ステップＳ６０２）。具体的には、ステップＳ６０１において押されたボタンがシームレス再生ボタン１ならばＩＤ＝１とし、シームレス再生ボタン２が押されたならばＩＤ＝２とする。ＩＤ＝１の場合、家庭用記録再生装置３０３は、ステップＳ６０３の動作に進む。一方、ＩＤ＝２の場合、家庭用記録再生装置３０３は、ステップＳ６０５の動作に進む。
【０２２９】
ステップＳ６０３において、家庭用記録再生装置３０３は、第１の再生情報を参照する。次に、家庭用記録再生装置３０３は、第一再生部１０５がどの時点で再生を終了しているかを認識し（ステップＳ６０４）、ステップＳ６０７の動作に進む。
【０２３０】
ステップＳ６０５において、家庭用記録再生装置３０３は、第２の再生情報を参照する。次に、家庭用記録再生装置３０３は、第二再生部１３５がどの時点で再生を終了しているか否かを認識し（ステップＳ６０６）、ステップＳ６０７の動作に進む。
【０２３１】
ステップＳ６０７において、家庭用記録再生装置３０３は、ステップＳ６０４またはステップＳ６０６で認識した時点から記録されている番組を再生し、処理を終了する。
【０２３２】
このように、本発明の第４の実施形態に係る記録再生システムは、運転者および同乗者が視聴していた番組の再生終了時点を、それぞれ再生情報に含ませて、それぞれの再生終了時点から家庭用記録再生装置に再生させることができる。したがって、運転者および同乗者は、それぞれ、自己が見ていた続きのシーンから、番組を再生させて、家庭で視聴することができる。
【０２３３】
なお、家庭用記録再生装置における再生の開始はシームレス再生ボタン１またはシームレス再生ボタン２を押すこととしたが、これに限られるものではない。たとえば、操作メニューから再生の開始がユーザ毎に選ばれてもよい。
【０２３４】
なお、本実施形態ではフロントディスプレイと後部座席用ディスプレイとの２台でテレビ番組を視聴するとしたが、これに限られるものではない。３台以上のディスプレイを用いて異なるユーザが視聴するとしてもよい。この場合、車載用記録再生装置は、伸長部、再生部をディスプレイの数と同数備え、再生情報には、それぞれの再生部がどのシーンまで再生したかを示す情報を含ませればよい。そして、家庭用記録再生装置側では同数のシームレス再生ボタンを備えるか、メニュー項目を設けて、ユーザ毎に、シーンの続きを再生すればよい。
【０２３５】
なお、同乗者の再生終了点は車載用記録再生装置の記録終了点と同じになるとしたが、必ずしもこれに限られるものではない。風景を楽しみたいときなど、あるいは携帯電話で通話するなどの都合で一時停止する場合などは記録終了点より前のシーンが再生終了点となる。
【０２３６】
（第５の実施形態）
第５の実施形態では、第４の実施形態と同様に複数のユーザが車内でテレビ番組を見る際に、それぞれが異なる番組を視聴する場合の記録再生システムについて説明する。
【０２３７】
図１４は、本発明の第５の実施形態に係る記録再生システムの構成を示す図である。図１４において、記録再生システムは、車載用記録再生装置１４１と、車載用通信部３０１と、家庭用通信部３０２と、家庭用記録再生装置４０３とを備える。車載用記録再生装置１４１は、制御部１４６と、第二圧縮部１４２と、第一圧縮部１０２と、記録装置１０３と、伸長部（図示せず）と、再生部（図示せず）と、第二伸長部（図示せず）と、第二再生部（図示せず）とを含む。制御部は第２、第３の実施形態に係る制御部１２６や第４の実施形態に係る制御部１３６に相当し、第二圧縮部にも接続される。第一圧縮部は、第１の実施形態に係る圧縮部１０２と同様である。第二圧縮部１４２は第一圧縮部１０２と同様に、入力信号を受信して圧縮を行い、圧縮テレビデータを記録装置１０３へ出力する。他の構成は第４の実施形態に係る記録再生システムと同様のものである。家庭用記録再生装置４０３は、第２〜第４の実施形態の家庭用記録再生装置３０３に相当し、複数の異なるテレビ番組を同時に録画する機能を有する。
【０２３８】
本実施形態における車載用記録再生装置１４１と家庭用記録再生装置４０３との動作は第２の実施形態で説明したものとほぼ同等であり、図７で示したフローチャートに従う。異なる点は、ステップＳ２０２において送信される記録情報の内容、およびステップＳ２０４において更新される再生情報の内容である。
【０２３９】
ステップＳ２０２において送信される記録情報は、第一再生部で再生される番組に関する第１の記録情報と、第二再生部で再生される番組に関する第２の記録情報とを含む。記録情報を受信した家庭用記録再生装置４０３は、送信される記録情報に従って、第一再生部で再生される番組および第二再生部で再生される番組の２番組を同時に録画する。
【０２４０】
ステップＳ２０６において送信される再生情報は、第４の実施形態と同様、第一再生部１０５においてどの番組をどのシーンまでを再生したかを示す第１の再生情報と、第二再生部１３５においてどの番組をどのシーンまでを再生したかを示す第２の再生情報とを含む。
【０２４１】
図１５は、車載用記録再生装置１４１の記録状態、家庭用記録再生装置４０３での記録状態を模式的に示した図である。
【０２４２】
以下、図１５を参照しながら、車載用記録再生装置１４１および家庭用記録再生装置３０３の動作を具体的に説明する。なお、バー内の表示は第一再生部で再生した番組と第二再生部で再生した番組とで同じ模様を用いているが、先にも述べたとおり第一再生部と第二再生部は異なる番組を再生しているため、車載用記録再生装置１４１と家庭用記録再生装置４０３とは２つの番組を同時に記録している。
【０２４３】
ａ１点、ａ２点は図８のａ点に相当する。車載用記録再生装置１４１では、第一再生部、第二再生部において再生される番組をａ１点およびａ２点からそれぞれ開始する。本実施形態ではａ１点とａ２点は同時刻とする。
【０２４４】
ｂ１点およびｂ２点は図８のｂ点に相当する。つまり、ｂ１点は第一再生部において再生を終了した点で、ｂ２点は第二再生部において再生を終了した点である。再生情報はｂ１点に関する第１の再生情報とｂ２点に関する第２の再生情報とを含むことになる。
【０２４５】
ｃ１点およびｃ２点は図８のｃ点に相当する。これは車載用記録再生装置１４１が番組の記録を終了した点である。車載用記録再生装置の録画を停止する際に、第一再生部で再生している番組と第二再生部で再生している番組との放送がともに終了していない場合はｃ１点とｃ２点は一致する。
【０２４６】
ｄ１点およびｄ２点は図８のｄ点に相当する。つまり、ｄ１点は第一再生部において再生していた番組の放送終了点、ｄ２点は第二再生部において再生していた番組の放送終了点である。家庭用記録再生装置４０３は、第一再生部で再生していた番組をｄ１点まで、第二再生部で再生していた番組をｄ２点まで録画を継続する。
【０２４７】
車内で視聴していた番組の続きを見たい場合、ユーザは、その旨の指示を家庭用記録再生装置４０３に与える。家庭用記録再生装置４０３は、第一再生部で再生していた番組をｂ１点から、あるいは、第二再生部で再生していた番組をｂ２点から、再生を開始する。
【０２４８】
なお、ａ〜ｄ点と同様に、ａ１〜ｄ１点およびａ２〜ｄ２点は、実際のアドレスポインタで示すのではなく、記録開始位置からどの程度進んでいるかを示す情報である。
【０２４９】
本発明の第５の実施形態における家庭用記録再生装置４０３の再生情報を参照する再生動作は、基本的には第４の実施形態で説明した図１３のフローチャートに従う。ユーザによって、たとえば、リモコンにある「シームレス再生ボタン１」あるいは「シームレス再生ボタン２」が押されることによって、家庭用記録再生装置４０３は、動作を開始する。シームレス再生ボタン１が押された場合、家庭用記録再生装置４０３は、再生情報に含まれる第１の再生情報を参照して、第一再生部で再生していた番組と再生の終了時点とを認識し、その続きから再生を開始する。「シームレス再生ボタン２」が押された場合も同様に、家庭用記録再生装置４０３は、再生情報に含まれる第２の再生情報を参照して、第二再生部で再生していた番組と再生の終了時点とを認識し、その続きから再生を開始する。
【０２５０】
このように、本発明の第５の実施形態に係る記録再生システムは、たとえば、運転者と同乗者がそれぞれ異なる番組を視聴していた場合でも、それぞれが車内で視聴したシーンの続きを家で視聴することができる。
【０２５１】
なお、第１〜第５の実施形態では、チャンネルが切り替えられることを想定していなかったが、車内で番組を視聴中にチャンネルを切り替えた場合、車載用記録再生装置は切り替えた時点で再び記録情報を送信して、これに応じて、家庭用記録再生装置は録画する番組を切り替えるようにすればよい。この場合について、以下に詳しく説明する。
【０２５２】
図１６は、運転者が視聴する（再生部で再生される）番組が切り替えられた場合の車載用記録再生装置および家庭用記録再生装置での記録状態を模式的に示した図である。図１６において、ｐ点は図１５のａ１点に相当し、運転者が番組の視聴を開始した時点である。ｑ点はチャンネルを切り替えた時点である。ｒ点は次の番組（チャンネル切り替え後の番組）の記録開始時点である。運転者は一時停止と再生を繰り返しながら視聴するため、放送シーンより前のシーンを視聴中にチャンネルを切り替えることになる。図１６の場合は、ｑ点を視聴しているときにチャンネルを切り替えたが、そのときチャンネル変更後の番組はｒ点のシーンを放送しており、次の番組はｒ点から記録されることになる。この場合、ｑ点からｒ点はチャンネル変更前の番組データで未再生の部分となる。車載用記録再生装置は、家庭用記録再生装置に対して、チャンネルが変更された時点（ｑ点）でチャンネル変更前の番組の記録を停止するように指示し、新たに記録情報を送信してチャンネル変更後の番組の記録を開始させる。
【０２５３】
ｓ点は図１５のｂ１点に相当する。このｓ点の情報が、最終的な再生情報として車載用記録再生装置から家庭用記録再生装置に送信される情報である。
【０２５４】
ｔ点は図１５のｃ１点に相当し、車載用記録再生装置において番組の記録が終了された時点である。ｕ点は図１５のｄ１点に相当し、チャンネル変更後の番組の放送が終了した時点である。家庭用記録再生装置はｕ点まで記録を継続する。
【０２５５】
このように、チャンネルが変更された場合、車載用記録再生装置および家庭用記録再生装置は、それまで見ていた番組の記録を停止し、新しい番組の記録を開始するようにすればよい。
【０２５６】
なお、車載用および／または家庭用記録再生装置が同時に複数のチャンネルの番組を録画できる機能を有している場合、車載用および／または家庭用記録再生装置は、チャンネル変更前の番組の記録を停止せずに継続してもよい。
【０２５７】
また、同乗者が視聴する（第二再生部にて再生する）番組が切り替えられた場合も同様である。この場合は、図１６において、ｑ点とｒ点が同じ点になる可能性があり、また同様にｓ点とｔ点が同じ点になる可能性があるだけである。
【０２５８】
また、チャンネルが切り替えられる前の番組に関するデータ（ｐ点〜ｒ点）は、ユーザがチャンネルを替えたということは、その番組の視聴をユーザが求めなかったと判断できるため、チャンネルが切り替えられた時点で消去するとしてもよい。あるいは、未再生の部分（ｑ点〜ｒ点）は消去せずに保存しておくとしてもよい。
【０２５９】
なお、図１５においてａ１点とａ２点は同時刻としたが、これに限られたものではない。異なる時刻としてもよい。この場合、それぞれの時刻で記録情報を家庭用記録再生装置に送信すればよい。
【０２６０】
なお、第５の実施形態においても、第４の実施形態の場合と同様、３台以上のディスプレイにて異なるユーザが視聴するとしてもよい。
【産業上の利用可能性】
【０２６１】
以上のように、本発明に係る車載用記録再生装置、記録再生装置、記録再生システムおよび記録再生方法は、自機器で視聴していたデータの続きをシーンが途切れることなく外部機器で視聴したり、外部機器で視聴していたデータの続きをシーンが途切れることなく自機器で視聴することが可能となる、という効果を有し、車と家との間でとぎれのない再生を実現するための記録再生装置、記録再生システム、および記録再生方法等として有用である。
【図面の簡単な説明】
【０２６２】
【図１】本発明の第１の実施形態に係る車載用記録再生装置１０１の構成を示す機能ブロック図
【図２】ユーザから再生指示があった場合の制御部１０６の動作を示すフローチャート
【図３】ユーザから再生指示があった場合の制御部１０６の再生動作を示すフローチャート
【図４】録画中に制御信号を受信したときの制御部１０６の再生制御動作を示すフローチャート
【図５】特定のシーンだけを抽出して再生する場合の制御部１０６の動作を示すフローチャート
【図６】本発明の第２の実施形態に係る記録再生システムの構成を示す図
【図７】車載用記録再生装置１２１および家庭用記録再生装置３０３の動作を示すフローチャート
【図８】車載用記録再生装置１２１での記録状態、および家庭用記録再生装置３０３での記録状態を模式的に示す図
【図９】再生情報を参照して再生を開始する家庭用記録再生装置３０３の動作を示すフローチャート
【図１０】本発明の第３の実施形態に係る車載用記録再生装置および家庭用記録再生装置の動作を示すフローチャート
【図１１】車載用記録再生装置での記録状態、および家庭用記録再生装置での記録状態を模式的に示した図
【図１２】本発明の第４の実施形態に係る記録再生システムの構成を示す図
【図１３】再生情報を参照して再生を開始する家庭用記録再生装置３０３の動作を示すフローチャート
【図１４】本発明の第５の実施形態に係る記録再生システムの構成を示す図
【図１５】車載用記録再生装置１４１の記録状態、家庭用記録再生装置４０３での記録状態を模式的に示した図
【図１６】運転者が視聴する（再生部で再生される）番組が切り替えられた場合の車載用記録再生装置および家庭用記録再生装置での記録状態を模式的に示した図
【符号の説明】
【０２６３】
１０１，１２１，１３１，１４１  車載用記録再生装置
１０２  圧縮部
１０３  記録装置
１０４  伸長部
１０５  再生部
１０６，１２６，１３６，１４６  制御部
３０１  車載用通信部
３０２  家庭用通信部
３０３  家庭用記録再生装置
１３４  第二伸長部
１３５  第二再生部
１４２  第二圧縮部
【手続補正３】
【補正対象書類名】図面
【補正対象項目名】全図
【補正方法】変更
【補正の内容】
【図１】
2004084222.tif 000019
【図２】
2004084222.tif 000020
【図３】
2004084222.tif 000021
【図４】
2004084222.tif 000022
【図５】
2004084222.tif 000023
【図６】
2004084222.tif 000024
【図７】
2004084222.tif 000025
【図８】
2004084222.tif 000026
【図９】
2004084222.tif 000027
【図１０】
2004084222.tif 000028
【図１１】
2004084222.tif 000029
【図１２】
2004084222.tif 000030
【図１３】
2004084222.tif 000031
【図１４】
2004084222.tif 000032
【図１５】
2004084222.tif 000033
【図１６】
2004084222.tif 000034
【国際調査報告】
2004084222.tif 000035
2004084222.tif 000036